(57)【要約】  本発明の実施例は上り信号に基づくハンドオーバー方法、上り信号の構成方法、ユーザ装置及び基地局を提供し、該ハンドオーバー方法はソース基地局がユーザ装置にトリガーメッセージを送信し、これにより、ユーザ装置がハンドオーバー用の上り信号を送信するようにトリガーし；１つ又は複数の他の基地局が上り信号への探測に基づいて送信した通知メッセージを受信し；及び、通知メッセージに基づいて１つ又は複数の他の基地局のうちからターゲット基地局を確定し、そしてユーザ装置に対してハンドオーバーを行うことを含む。本発明の実施例により、上り信号の測定に基づいてハンドオーバーの判断を加速させ、異なるシナリオ下でのハンドオーバーのニーズを満足することができる。
2016504885.tif 000002
【特許請求の範囲】
【請求項１】
上り信号に基づくハンドオーバー方法であって、
前記方法は、ユーザ装置がソース基地局からターゲット基地局へハンドオーバーする通信システムに用いられ、
前記ソース基地局が前記ユーザ装置にトリガーメッセージを送信し、これにより、前記ユーザ装置がハンドオーバー用の上り信号を送信するようにトリガーし；
１つ又は複数の他の基地局が前記上り信号への探測（detection）に基づいて送信した通知メッセージを受信し；及び
前記ソース基地局が前記通知メッセージに基づいて前記１つ又は複数の他の基地局のうちから前記ターゲット基地局を確定し、前記ユーザ装置に対してハンドオーバーを行う、ことを含む、ハンドオーバー方法。
【請求項２】
請求項1に記載のハンドオーバー方法であって、更に、
前記ソース基地局が前記他の基地局と、前記ユーザ装置の上り信号の構成情報を協議することを含む、ハンドオーバー方法。
【請求項３】
請求項2に記載のハンドオーバー方法であって、
前記ソース基地局が前記他の基地局と、前記ユーザ装置の上り信号の構成情報を協議することは、具体的に、
前記ソース基地局が、前記他の基地局が送信した第一メッセージを受信し、前記第一メッセージは、前記ソース基地局のユーザ装置の上り信号の構成情報を含み；及び
前記他の基地局が返した第二メッセージを受信し、前記第二メッセージは、確認メッセージであり、又は、前記他の基地局のユーザ装置の上り信号の構成情報を含む、ことを含む、ハンドオーバー方法。
【請求項４】
請求項1に記載のハンドオーバー方法であって、更に、
前記ソース基地局が前記他の基地局に第三メッセージを送信することを含み、
前記第三メッセージは、前記ソース基地局の１つ又は複数のユーザ装置の上り信号の構成情報を含む、ハンドオーバー方法。
【請求項５】
請求項4に記載のハンドオーバー方法であって、更に、
前記ソース基地局が、前記他の基地局が送信した第四メッセージを受信することを含み、
前記第四メッセージは、前記第三メッセージ中の全て又は一部のユーザ装置の上り信号の構成情報を拒否するために用いられる、ハンドオーバー方法。
【請求項６】
請求項5に記載のハンドオーバー方法であって、
前記第四メッセージは、拒否原因及び/又は推薦ユーザ装置の上り信号の構成情報を含む、ハンドオーバー方法。
【請求項７】
請求項1に記載のハンドオーバー方法であって、更に、
前記ソース基地局が前記ユーザ装置に前記上り信号の構成情報を送信することを含む、ハンドオーバー方法。
【請求項８】
請求項1に記載のハンドオーバー方法であって、
前記トリガーメッセージは、前記上り信号の構成情報を含む、ハンドオーバー方法。
【請求項９】
請求項2〜8任意の１項に記載のハンドオーバー方法であって、
前記上り信号の構成情報は、
前記上り信号の送信パワー；前記上り信号を送信するキャリア情報又はセル情報；前記ユーザ装置のハンドオーバーのための目標キャリア情報又はセル情報；前記ユーザ装置の識別情報；前記ユーザ装置の適用すべきユーザタイプ情報；前記上り信号を送信するリソース情報；前記上り信号の回数又は時間情報；及び前記上り信号の特徴情報、のうちの任意の１つ又は組み合わせを含む、ハンドオーバー方法。
【請求項１０】
請求項9に記載のハンドオーバー方法であって、
前記上り信号の回数又は時間情報は、具体的に、
前記上り信号を送信すべき回数、最大送信回数、及び最小送信回数のうちの１つ又は組み合わせ；又は
前記上り信号の送信を許す時間期間情報、最小時間長さ、及び最大時間長さのうちの１つ又は組み合わせ、を含む、ハンドオーバー方法。
【請求項１１】
請求項9に記載のハンドオーバー方法であって、
前記上り信号の特徴情報は、具体的に、前記上り信号を生成するシーケンス情報を含む、ハンドオーバー方法。
【請求項１２】
請求項9に記載のハンドオーバー方法であって、
前記上り信号は、ランダムアクセス用のプリアンブルシーケンス信号であり、前記上り信号の特徴情報は、少なくとも、PRACH-Config、RACH-ConfigCommon、又はRACH-ConfigDedicatedの情報実体のうちの少なくとも１つの情報を含み；又は
前記上り信号はSRSであり、前記上り信号の特徴情報は、少なくとも、SoundingRS-UL-Configの情報実体のうちの少なくとも１つの情報を含み；又は
前記上り信号は解調参照信号であり、前記上り信号の特徴情報は、少なくとも、DM-RS-Configの情報実体のうちの少なくとも１つの情報を含む、ハンドオーバー方法。
【請求項１３】
請求項2〜8の任意の１項に記載のハンドオーバー方法であって、
前記上り信号の構成情報は、ユーザ装置を区別するためのものであり、又はセルを区別するためのものであり、又は基地局を区別するためのものである、ハンドオーバー方法。
【請求項１４】
請求項2〜8の任意の１項に記載のハンドオーバー方法であって、
前記上り信号の構成情報は、一部がユーザを区別するためのものであり、一部がセルを区別するためのものであり、一部が基地局を区別するためのものである、ハンドオーバー方法。
【請求項１５】
請求項1に記載のハンドオーバー方法であって、
前記通知メッセージは、
前記他の基地局により探測された前記上り信号のユーザ装置の識別子；探測された前記上り信号の個数；探測された前記上り信号の信号強度又は信号品質；探測された前記上り信号の平均信号強度又は平均信号品質；探測された前記上り信号の重み付け平均信号強度又は重み付け平均信号品質；及び前記上り信号が探測され得ると判定する時に用いる信号強度又は信号品質の閾値、うちの任意の１つ又は組み合わせを含む、ハンドオーバー方法。
【請求項１６】
上り信号に基づくハンドオーバー方法であって、
前記方法は、ユーザ装置がソース基地局からターゲット基地局へハンドオーバーする通信システムに用いられ、
前記ターゲット基地局が、前記ユーザ装置が送信したハンドオーバー用の上り信号を探測し；及び
前記上り信号への探測に基づいて前記ソース基地局に通知メッセージを送信し、これにより、前記ソース基地局が前記通知メッセージに基づいて前記ユーザ装置に対してハンドオーバーを行う、ことを含む、ハンドオーバー方法。
【請求項１７】
請求項16に記載のハンドオーバー方法であって、更に、
前記ターゲット基地局が前記ソース基地局と、前記ユーザ装置の上り信号の構成情報を協議することを含む、ハンドオーバー方法。
【請求項１８】
請求項17に記載のハンドオーバー方法であって、
前記ターゲット基地局が前記ソース基地局と、前記ユーザ装置の上り信号の構成情報を協議することは、具体的に
前記ターゲット基地局が、前記ソース基地局が送信した第一メッセージを受信し、前記第一メッセージは、前記ソース基地局のユーザ装置の上り信号の構成情報を含み；及び
向前記ソース基地局が第二メッセージを返し、前記第二メッセージは、確認メッセージであり、又は、前記ターゲット基地局のユーザ装置の上り信号の構成情報を含む、ことを含む、ハンドオーバー方法。
【請求項１９】
請求項16に記載のハンドオーバー方法であって、更に、
前記ターゲット基地局が、前記ソース基地局が送信した第三メッセージを受信することを含み、
前記第三メッセージは、前記ソース基地局の１つ又は複数のユーザ装置の上り信号の構成情報を含む、ハンドオーバー方法。
【請求項２０】
請求項19に記載のハンドオーバー方法であって、更に、
前記ターゲット基地局が前記ソース基地局に第四メッセージを送信することを含み、
前記第四メッセージは、前記第三メッセージ中の全て又は一部のユーザ装置の上り信号の構成情報を拒否するためのものである、ハンドオーバー方法。
【請求項２１】
請求項17〜20の任意の１項に記載のハンドオーバー方法であって、
前記上り信号の構成情報は、
前記上り信号の送信パワー；前記上り信号を送信するキャリア情報又はセル情報；前記ユーザ装置のハンドオーバーのための目標キャリア情報又はセル情報；前記ユーザ装置の識別情報；前記ユーザ装置の適用すべきユーザタイプ情報；前記上り信号を送信するリソース情報；前記上り信号の回数又は時間情報；及び前記上り信号の特徴情報、のうちの任意の１つ又は組み合わせを含む、ハンドオーバー方法。
【請求項２２】
請求項16に記載のハンドオーバー方法であって、更に、
前記ターゲット基地局が前記上り信号の所在する周波数、又は前記周波数に対応するセル受信機をアクティブにすることを含む、ハンドオーバー方法。
【請求項２３】
請求項16に記載のハンドオーバー方法であって、更に、
前記ターゲット基地局がタイマーを設定し；及び
前記タイマーが切れた前に前記上り信号を探測することを含む、ハンドオーバー方法。
【請求項２４】
請求項16に記載のハンドオーバー方法であって、更に、
前記ターゲット基地局が、探測された前記上り信号が予め設定された条件を満足するかどうかに基づいて、前記ユーザ装置がハンドオーバーを行い得るかどうかを判断し；及び
判断結果に基づいて前記ソース基地局に前記通知メッセージを送信することを含む、ハンドオーバー方法。
【請求項２５】
請求項24に記載のハンドオーバー方法であって、
前記予め設定された条件は、
前記上り信号が所定回数、正確に受信されたこと、及び/又は、正確に受信された上り信号のうちの、信号強度又は信号品質が所定閾値を超えた個数が、所定値を超えたことを含む、ハンドオーバー方法。
【請求項２６】
請求項16に記載のハンドオーバー方法であって、
前記通知メッセージは、
前記ターゲット基地局により探測された前記上り信号のユーザ装置の識別子；探測された前記上り信号の個数；探測された前記上り信号の信号強度又は信号品質；探測された前記上り信号の平均信号強度又は平均信号品質；探測された前記上り信号の重み付け平均信号強度又は重み付け平均信号品質；前記上り信号が探測され得ると判定する時に用いる信号強度又は信号品質の閾値、のうちの任意の１つ又は組み合わせを含む、ハンドオーバー方法。
【請求項２７】
上り信号に基づくハンドオーバー方法であって、
前記方法は、ユーザ装置がソース基地局からターゲット基地局へハンドオーバーする通信システムに用いられ、
前記ユーザ装置が、前記ソース基地局が送信したトリガーメッセージを受信し；
前記トリガーメッセージに基づいてハンドオーバー用の上り信号を送信し、これにより、１つ又は複数の他の基地局が前記上り信号への探測に基づいて前記ソース基地局に通知メッセージを送信し、及び前記ソース基地局が前記通知メッセージに基づいて前記ユーザ装置に対してハンドオーバーを行う、ことを含む、ハンドオーバー方法。
【請求項２８】
請求項27に記載のハンドオーバー方法であって、更に、
前記ユーザ装置が、前記ソース基地局が送信した前記上り信号の構成情報を受信することを含む、ハンドオーバー方法。
【請求項２９】
請求項27に記載のハンドオーバー方法であって、
前記トリガーメッセージは、前記上り信号の構成情報を含む、ハンドオーバー方法。
【請求項３０】
請求項27に記載のハンドオーバー方法であって、
前記ユーザ装置が、前記トリガーメッセージに基づいて、一回又は複数回、前記上り信号を送信することを含む、ハンドオーバー方法。
【請求項３１】
請求項28〜30の任意の１項に記載のハンドオーバー方法であって、
前記上り信号の構成情報は、
前記上り信号の送信パワー；前記上り信号を送信するキャリア情報又はセル情報；前記ユーザ装置のハンドオーバーのための目標キャリア情報又はセル情報；前記ユーザ装置の識別情報；前記ユーザ装置の適用すべきユーザタイプ情報；前記上り信号を送信するリソース情報；前記上り信号の回数又は時間情報；及び前記上り信号の特徴情報、のうちの任意の１つ又は組み合わせを含む、ハンドオーバー方法。
【請求項３２】
基地局であって、
前記基地局は、ユーザ装置が前記基地局からターゲット基地局へハンドオーバーする通信システムに用いられ、
前記ユーザ装置にトリガーメッセージを送信し、これにより、前記ユーザ装置がハンドオーバー用の上り信号を送信するようにトリガーするメッセージ送信ユニット；
１つ又は複数の他の基地局が前記上り信号への探測に基づいて送信した通知メッセージを受信するための通知受信ユニット；及び
前記通知メッセージに基づいて前記１つ又は複数の他の基地局のうちから前記ターゲット基地局を確定し、前記ユーザ装置に対してハンドオーバーを行うためのハンドオーバーユニットを含む、基地局。
【請求項３３】
請求項32に記載の基地局であって、更に、
前記他の基地局と、前記ユーザ装置の上り信号の構成情報を協議するための協議ユニットを含む、基地局。
【請求項３４】
請求項33に記載の基地局であって、
前記協議ユニットは、具体的に、
前記他の基地局に第一メッセージを送信するための第一送信ユニットであって、前記第一メッセージは、前記ソース基地局のユーザ装置の上り信号の構成情報を含む、第一送信ユニット；及び
前記他の基地局が返した第二メッセージを受信するための第一受信ユニットであって、前記第二メッセージは、確認メッセージであり、又は、前記他の基地局のユーザ装置の上り信号の構成情報を含む、第一受信ユニットを含む、基地局。
【請求項３５】
請求項32に記載の基地局であって、更に、
前記他の基地局に第三メッセージを送信するための第二送信ユニットであって、前記第三メッセージは、前記基地局の１つ又は複数のユーザ装置の上り信号の構成情報を含む、第二送信ユニットを含む、基地局。
【請求項３６】
請求項32に記載の基地局であって、更に、
前記他の基地局が送信した第四メッセージを受信するための第二受信ユニットであって、前記第四メッセージは、前記第三メッセージ中の全て又は一部のユーザ装置の上り信号の構成情報を拒否するために用いられる、基地局。
【請求項３７】
請求項32に記載の基地局であって、更に、
前記ユーザ装置に前記上り信号の構成情報を送信するための情報送信ユニットを含む、基地局。
【請求項３８】
基地局であって、
前記基地局は、ユーザ装置がソース基地局から前記基地局へハンドオーバーする通信システムに用いられ、
前記ユーザ装置が送信したハンドオーバー用の上り信号を探測するための探測ユニット；及び
前記上り信号への探測に基づいて前記ソース基地局に通知メッセージを送信し、これにより、前記ソース基地局が前記通知メッセージに基づいて前記ユーザ装置に対してハンドオーバーを行うようにさせるための通知送信ユニットを含む、基地局。
【請求項３９】
請求項38に記載の基地局であって、更に、
前記ソース基地局と、前記ユーザ装置の上り信号の構成情報を協議するための協議ユニットを含む、基地局。
【請求項４０】
請求項39に記載の基地局であって、
前記協議ユニットは、具体的に、
前記ソース基地局が送信した第一メッセージを受信するための第三受信ユニットであって、前記第一メッセージは、前記ソース基地局のユーザ装置の上り信号の構成情報を含む、第三受信ユニット；及び
前記ソース基地局に第二メッセージを返すための第三送信ユニットであって、前記第二メッセージは、確認メッセージであり、又は、前記基地局のユーザ装置の上り信号の構成情報を含む、第三送信ユニットを含む、基地局。
【請求項４１】
請求項38に記載の基地局であって、更に、
前記ソース基地局が送信した第三メッセージを受信するための第四受信ユニットであって、前記第三メッセージは、前記ソース基地局の１つ又は複数のユーザ装置の上り信号の構成情報を含む、第四受信ユニットを含む、基地局。
【請求項４２】
請求項41に記載の基地局であって、更に、
前記ソース基地局に第四メッセージを送信するための第四送信ユニットであって、前記第四メッセージは、前記第三メッセージ中の全て又は一部のユーザ装置の上り信号の構成情報を拒否するためのものである、第四送信ユニットを含む、基地局。
【請求項４３】
請求項38に記載の基地局であって、更に、
前記上り信号が所在する周波数、又は前記周波数に対応するセル受信機をアクティブにするためのアクティブ化ユニットを含む、基地局。
【請求項４４】
請求項38に記載の基地局であって、更に、
タイマーを設定するためのタイマー設定ユニットを含み、
前記探測ユニットは、前記タイマーが切れた前に前記上り信号を探測する、基地局。
【請求項４５】
請求項38に記載の基地局であって、更に、
前記上り信号に基づいて、前記ユーザ装置がハンドオーバーを行い得るかどうかを判断するための判断ユニットを含み、
前記通知送信ユニットは、判断結果に基づいて、前記ソース基地局に前記通知メッセージを送信する、基地局。
【請求項４６】
ユーザ装置であって、
前記ユーザ装置は、ソース基地局からターゲット基地局へハンドオーバーする通信システムに用いられ、
前記ソース基地局が送信したトリガーメッセージを受信するためのメッセージ受信ユニット；及び
前記トリガーメッセージに基づいてハンドオーバー用の上り信号を送信し、これにより、１つ又は複数の他の基地局が前記上り信号への探測に基づいて前記ソース基地局に通知メッセージを送信し、また、前記ソース基地局が前記通知メッセージに基づいて前記ユーザ装置に対してハンドオーバーを行うようにさせるための信号送信ユニットを含む、ユーザ装置。
【請求項４７】
請求項46に記載のユーザ装置であって、更に、
前記ソース基地局が送信した前記上り信号の構成情報を受信するための情報受信ユニットを含む、ユーザ装置。
【請求項４８】
上り信号の構成方法であって、
第一基地局及び第二基地局がユーザ装置の上り信号の構成情報を協議し；及び
前記第一基地局が前記ユーザ装置に前記上り信号の構成情報を送信し、これにより、前記ユーザ装置が前記構成情報に基づいて前記上り信号を送信し、また、前記第二基地局が前記構成情報に基づいて前記上り信号を探測する、ことを含む、方法。
【請求項４９】
請求項48に記載の方法であって、
前記第一基地局及び第二基地局がユーザ装置の上り信号の構成情報を協議することは、具体的に、
前記第一基地局が前記第二基地局に第一メッセージを送信し、前記第一メッセージは、前記第一基地局のユーザ装置の上り信号の構成情報を含み；及び
前記第二基地局が返した第二メッセージを受信し、前記第二メッセージは、確認メッセージであり、又は前記第二基地局のユーザ装置の上り信号の構成情報を含む、ことを含む、方法。
【請求項５０】
請求項48に記載の方法であって、更に、
前記第一基地局が前記第二基地局に第三メッセージを送信することを含み、
前記第三メッセージは、前記第一基地局の１つ又は複数のユーザ装置の上り信号の構成情報を含む、方法。
【請求項５１】
請求項50に記載の方法であって、更に、
前記第一基地局が、前記第二基地局が送信した第四メッセージを受信することを含み、
前記第四メッセージは、前記第三メッセージ中の全て又は一部のユーザ装置の上り信号の構成情報を拒否するために用いられる、方法。
【請求項５２】
請求項48〜51の任意の１項に記載の方法であって、
前記上り信号の構成情報は、
前記上り信号の送信パワー；前記上り信号を送信するキャリア情報又はセル情報；前記ユーザ装置のハンドオーバーのための目標キャリア情報又はセル情報；前記ユーザ装置の識別情報；前記ユーザ装置の適用すべきユーザタイプ情報；前記上り信号を送信するリソース情報；前記上り信号の回数又は時間情報；及び前記上り信号の特徴情報、うちの任意の１つ又は組み合わせを含む、方法。
【請求項５３】
請求項52に記載の方法であって、
前記上り信号の回数又は時間情報は、具体的に、
前記上り信号を送信すべき回数、最大送信回数、及び最小送信回数のうちの１つ又は其組み合わせ；又は、
前記上り信号の送信を許す時間期間情報、最小時間長さ、及び最大時間長さのうちの１つ又は組み合わせを含む、方法。
【請求項５４】
請求項52に記載の方法であって、
前記上り信号の特徴情報は、具体的に、前記上り信号を生成するシーケンス情報を含む、方法。
【請求項５５】
請求項52に記載の方法であって、
前記上り信号は、ランダムアクセス用のプリアンブルシーケンス信号であり；前記上り信号の特徴情報は、少なくとも、PRACH-Config、RACH-ConfigCommon又はRACH-ConfigDedicatedの情報実体のうちの少なくとも１つの情報を含み；又は
前記上り信号はSRSであり、前記上り信号の特徴情報は、少なくとも、SoundingRS-UL-Configの情報実体のうちの少なくとも１つの情報を含み；又は
前記上り信号は解調参照信号であり、前記上り信号の特徴情報は、少なくとも、DM-RS-Configの情報実体のうちの少なくとも１つの情報を含む、方法。
【請求項５６】
請求項48に記載の方法であって、更に、
前記第一基地局が前記ユーザ装置にトリガーメッセージを送信し、これにより、前記ユーザ装置がハンドオーバー用の上り信号を送信するようにトリガーし；
１つ又は複数の前記第二基地局が前記上り信号への探測に基づいて送信した通知メッセージを受信し；及び
前記第一基地局が前記通知メッセージに基づいて前記１つ又は複数の前記第二基地局のうちからターゲット基地局を確定し、前記ユーザ装置に対してハンドオーバーを行う、ことを含む、方法。
【請求項５７】
請求項56に記載の方法であって、
前記通知メッセージは、
前記第二基地局により探測された前記上り信号のユーザ装置の識別子；探測された前記上り信号の個数；探測された前記上り信号の信号強度又は信号品質；探測された前記上り信号の平均信号強度又は平均信号品質；探測された前記上り信号の重み付け平均信号強度又は重み付け平均信号品質；前記上り信号が探測され得ると判定する時に用いる信号強度又は信号品質の閾値、のうちの任意の１つ又は組み合わせを含む、方法。
【請求項５８】
上り信号の構成方法であって、
第二基地局及び第一基地局がユーザ装置の上り信号の構成情報を協議し；及び
前記第二基地局が前記構成情報に基づいて、前記ユーザ装置が送信した上り信号に対して探測を行う、ことを含む、方法。
【請求項５９】
請求項58に記載の方法であって、
前記第二基地局及び第一基地局がユーザ装置の上り信号の構成情報を協議することは、具体的に、
前記第二基地局が、前記第一基地局が送信した第一メッセージを受信し、前記第一メッセージは、前記第一基地局のユーザ装置の上り信号の構成情報を含み；及び
前記第一基地局に第二メッセージを返し、前記第二メッセージは、確認メッセージであり、又は前記第二基地局のユーザ装置の上り信号の構成情報を含む、ことを含む、方法。
【請求項６０】
請求項59に記載の方法であって、更に、
前記第二基地局が、前記第一基地局が送信した第三メッセージを受信することを含み、
前記第三メッセージは、前記第一基地局の１つ又は複数のユーザ装置の上り信号の構成情報を含む、方法。
【請求項６１】
請求項60に記載の方法であって、更に、
前記第二基地局が前記第一基地局に第四メッセージを送信することを含み、
前記第四メッセージは、前記第三メッセージ中の全て又は一部のユーザ装置の上り信号の構成情報を拒否するために用いられる、方法。
【請求項６２】
請求項58〜61の任意の１項に記載の方法であって、
前記上り信号の構成情報は、
前記上り信号の送信パワー；前記上り信号を送信するキャリア情報又はセル情報；前記ユーザ装置のハンドオーバーのための目標キャリア情報又はセル情報；前記ユーザ装置の識別情報；前記ユーザ装置の適用すべきユーザタイプ情報；前記上り信号を送信するリソース情報；前記上り信号の回数又は時間情報；及び前記上り信号の特徴情報、のうちの任意の１つ又は組み合わせを含む、方法。
【請求項６３】
請求項58に記載の方法であって、更に、
前記上り信号への探測に基づいて前記第一基地局に通知メッセージを送信し、これにより、前記第一基地局が前記通知メッセージに基づいて前記ユーザ装置に対してハンドオーバーを行う、ことを含む、方法。
【請求項６４】
請求項58に記載の方法であって、更に、
前記第二基地局が、前記上り信号が所在する周波数、又は前記周波数に対応するセル受信機をアクティブにすることを含む、方法。
【請求項６５】
上り信号の構成方法であって、
ユーザ装置が、第一基地局が送信した上り信号の構成情報を受信し；及び
前記構成情報に基づいて上り信号を送信し、これにより、１つ又は複数の第二基地局が前記上り信号に対して探測を行う、ことを含む、方法。
【請求項６６】
請求項65に記載の方法であって、
前記上り信号の構成情報は、
前記上り信号の送信パワー；前記上り信号を送信するキャリア情報又はセル情報；前記ユーザ装置のハンドオーバーのための目標キャリア情報又はセル情報；前記ユーザ装置の識別情報；前記ユーザ装置の適用すべきユーザタイプ情報；前記上り信号を送信するリソース情報；前記上り信号の回数又は時間情報；及び前記上り信号の特徴情報、のうちの任意の１つ又は組み合わせを含む、方法。
【請求項６７】
請求項65に記載の方法であって、更に、
前記ユーザ装置が、前記第一基地局が送信したトリガーメッセージを受信し；及び
前記トリガーメッセージ及び前記構成情報に基づいて前記上り信号を送信することを含む、方法。
【請求項６８】
基地局であって、
１つ又は複数の第二基地局とユーザ装置の上り信号の構成情報を協議するための協議ユニット；及び
ユーザ装置に前記上り信号の構成情報を送信するための情報送信ユニットを含む、基地局。
【請求項６９】
請求項68に記載の基地局であって、
前記協議ユニットは、具体的に、
前記第二基地局に第一メッセージを送信するための第一送信ユニットであって、前記第一メッセージは、前記基地局のユーザ装置の上り信号の構成情報を含む、第一送信ユニット；及び
前記第二基地局が返した第二メッセージを受信するための第一受信ユニットであって、前記第二メッセージは、確認メッセージであり、又は前記第二基地局のユーザ装置の上り信号の構成情報を含む、第一受信ユニットを含む、基地局。
【請求項７０】
請求項69に記載の基地局であって、更に
前記第二基地局に第三メッセージを送信するための第二送信ユニットであって、前記第三メッセージは、前記基地局の１つ又は複数のユーザ装置の上り信号の構成情報を含む、第二送信ユニットを含む、基地局。
【請求項７１】
請求項70に記載の基地局であって、更に、
前記第二基地局が送信した第四メッセージを受信するための第二受信ユニットであって、前記第四メッセージは、前記第三メッセージ中の全て又は一部のユーザ装置の上り信号の構成情報を拒否するために用いられる、第二受信ユニットを含む、基地局。
【請求項７２】
請求項68に記載の基地局であって、更に、
前記ユーザ装置にトリガーメッセージを送信し、これにより、前記ユーザ装置がハンドオーバー用の上り信号を送信するようにトリガーするためのメッセージ送信ユニット；
１つ又は複数の前記第二基地局が前記上り信号への探測に基づいて送信した通知メッセージを受信するための通知受信ユニット；及び
前記通知メッセージに基づいて前記１つ又は複数の第二基地局のうちからターゲット基地局を確定し、前記ユーザ装置に対してハンドオーバーを行うためのハンドオーバーユニットを含む、基地局。
【請求項７３】
基地局であって、
第一基地局とユーザ装置の上り信号の構成情報を協議するための協議ユニット；及び
前記構成情報に基づいて前記ユーザ装置が送信した上り信号に対して探測を行うための探測ユニットを含む、基地局。
【請求項７４】
請求項73に記載の基地局であって、
前記協議ユニットは、具体的に、
前記第一基地局が送信した第一メッセージを受信するための第三受信ユニットであって、前記第一メッセージは、前記第一基地局のユーザ装置の上り信号の構成情報を含む、第三受信ユニット；及び
前記第一基地局に第二メッセージを返すための第三送信ユニットであって、前記第二メッセージは、確認メッセージであり、又は前記基地局のユーザ装置の上り信号の構成情報を含む、第三送信ユニットを含む、基地局。
【請求項７５】
請求項73に記載の基地局であって、更に、
前記第一基地局が送信した第三メッセージを受信するための第四受信ユニットであって、前記第三メッセージは、前記第一基地局の１つ又は複数のユーザ装置の上り信号の構成情報を含む、第四受信ユニットを含む、基地局。
【請求項７６】
請求項75に記載の基地局であって、更に、
前記第一基地局に第四メッセージを送信するための第四送信ユニットであって、前記第四メッセージは、前記第三メッセージ中の全て又は一部のユーザ装置の上り信号の構成情報を拒否するために用いられる、第四送信ユニットを含む、基地局。
【請求項７７】
請求項73に記載の基地局であって、更に、
前記上り信号への探測に基づいて前記第一基地局に通知メッセージを送信し、これにより、前記第一基地局が前記通知メッセージに基づいて前記ユーザ装置に対してハンドオーバーを行うようにさせるための通知送信ユニットを含む、基地局。
【請求項７８】
請求項73に記載の基地局であって、更に、
前記上り信号が所在する周波数、又は前記周波数に対応するセル受信機をアクティブにするためのアクティブ化ユニットを含む、基地局。
【請求項７９】
ユーザ装置であって、
第一基地局が送信した上り信号の構成情報を受信するための情報受信ユニット；及び
構成メッセージに基づいて上り信号を送信し、これにより、１つ又は複数の第二基地局が前記上り信号に対して探測を行うようにさせるための信号送信ユニットを含む、ユーザ装置。
【請求項８０】
請求項79に記載のユーザ装置であって、更に、
前記第一基地局が送信したトリガーメッセージを受信するためのメッセージ受信ユニットを含み、
前記信号送信ユニットは更に、前記トリガーメッセージ及び前記構成情報に基づいて前記上り信号を送信するために用いられる、ユーザ装置。
【請求項８１】
通信システムであって、
前記通信システムは、請求項32〜37の任意の１項に記載の基地局、請求項38〜45の任意の１項に記載の基地局、及び請求項47又は48に記載のユーザ装置を含み；又は、
前記通信システムは、請求項68〜72の任意の１項に記載の基地局、請求項73〜78の任意の１項に記載の基地局、及び請求項79又は80に記載のユーザ装置を含む、通信システム。
【請求項８２】
コンピュータ読み取り可能なプログラムであって、
基地局中で前記プログラムを実行する時に、前記プログラムは、コンピュータに前記基地局中で請求項1〜26の任意の１項に記載の上り信号に基づくハンドオーバー方法を実行させ、又は、請求項48〜64の任意の１項に記載の上り信号の構成方法を実行させるための、プログラム。
【請求項８３】
コンピュータ読み取り可能なプログラムを記憶した記憶媒体であって、
前記コンピュータ読み取り可能なプログラムは、コンピュータに、基地局中で請求項1〜26の任意の１項に記載の上り信号に基づくハンドオーバー方法を実行させ、又は、請求項48〜64の任意の１項に記載の上り信号の構成方法を実行させるためのプログラムである、記憶媒体。
【請求項８４】
コンピュータ読み取り可能なプログラムであって、
ユーザ装置中で前記プログラムを実行する時に、前記プログラムは、コンピュータに前記ユーザ装置中で請求項27〜31の任意の１項に記載の上り信号に基づくハンドオーバー方法を実行させ、又は、請求項65〜67のうちの１項に記載の上り信号の構成方法を実行させるための、プログラム。
【請求項８５】
コンピュータ読み取り可能なプログラムを記憶した記憶媒体であって、
前記コンピュータ読み取り可能なプログラムは、コンピュータに、ユーザ装置中で請求項39〜48の任意の１項に記載の上り信号に基づくハンドオーバー方法を実行させ、又は請求項65〜67の任意の１項に記載の上り信号の構成方法を実行させるためのプログラムである、記憶媒体。
【発明の詳細な説明】
【技術分野】
【０００１】
本発明は、通信分野に関し、特に、上り信号に基づくハンドオーバー方法、上り信号の構成方法、ユーザ装置及び基地局に関する。
【背景技術】
【０００２】
今のところ、基地局側の制御により、ユーザ装置がソース基地局からターゲット基地局へ切り換える（handover）ことができる。従来のメカニズムでは、ユーザ装置のハンドオーバーが下り信号の測定結果に基づいて行われる。ユーザ装置が、基地局側により構成された情報に基づいて信号測定を行い、その後、測定結果を基地局側に報告し、これにより、基地局側は、ハンドオーバー・プロスィージャーを発起する。
【０００３】
しかし、発明者は、下記のことを発見した。即ち、従来案では、下り信号の測定は、セル（又は、周波数）識別のプロセス、及び同一周波数（又は、異なる周波数）測定のプロセスを含む必要がり、その経った時間が比較的長い。よって、スモールセル（small  cell）などのシナリオでは、速度が比較的速いユーザ装置がスモールセルを通過する時に、測定完成前にスモールセルのカバレッジを離れた可能性があるため、測定の報告をタイムリーにトリガーすることができないことにより、リンク失敗になってしまう。
【０００４】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【０００５】
本発明の実施例は、上り信号に基づくハンドオーバー方法、上り信号の構成方法、ユーザ装置及び基地局を提供する。目的は、上り信号の測定に基づいてハンドオーバーの判断を加速させることで、異なるシナリオ下でのハンドオーバーのニーズを満足することにある。
【課題を解決するための手段】
【０００６】
本発明の実施例の１つの側面によれば、上り信号に基づくハンドオーバー方法が提供され、ユーザ装置のソース基地局からターゲット基地局へのハンドオーバーの通信システムに用いられ、前記方法は、
前記ソース基地局が前記ユーザ装置にトリガーメッセージを送信し、これにより、前記ユーザ装置がハンドオーバー用の上り信号を送信するようにトリガーし；
１つ又は複数の他の基地局が前記上り信号への探測に基づいて送信した通知メッセージを受信し；及び
前記ソース基地局が前記通知メッセージに基づいて、前記１つ又は複数の他の基地局のうちから前記ターゲット基地局を確定し、そして、前記ユーザ装置に対してハンドオーバーを行うことを含む。
【０００７】
本発明の実施例のもう１つの側面によれば、上り信号に基づくハンドオーバー方法が提供され、ユーザ装置のソース基地局からターゲット基地局へのハンドオーバーの通信システムに用いられ、前記方法は、
前記ターゲット基地局が前記ユーザ装置の送信したハンドオーバー用の上り信号を探測し；及び
探測結果に基づいて前記ソース基地局に通知メッセージを送信し、これにより、前記ソース基地局が前記通知メッセージに基づいて前記ユーザ装置に対してハンドオーバーを行うことを含む。
【０００８】
本発明の実施例のもう１つの側面によれば、上り信号に基づくハンドオーバー方法が提供され、ユーザ装置のソース基地局からターゲット基地局へのハンドオーバーの通信システムに用いられ、前記方法は、
前記ユーザ装置が前記ソース基地局の送信したトリガーメッセージを受信し；及び
前記トリガーメッセージに基づいてハンドオーバー用の上り信号を送信し、これにより、１つ又は複数の他の基地局が前記上り信号への探測に基づいて前記ソース基地局に通知メッセージを送信し、及び前記ソース基地局が前記通知メッセージに基づいて前記ユーザ装置に対してハンドオーバーを行うことを含む。
【０００９】
本発明の実施例のもう１つの側面によれば、基地局が提供され、ユーザ装置の前記基地局からターゲット基地局へのハンドオーバーの通信システムに用いられ、前記基地局は、
前記ユーザ装置にトリガーメッセージを送信し、これにより、前記ユーザ装置がハンドオーバー用の上り信号を送信するようにトリガーするためのメッセージ送信ユニット；
１つ又は複数の他の基地局が前記上り信号への探測に基づいて送信した通知メッセージを受信するための通知受信ユニット；及び
前記通知メッセージに基づいて前記１つ又は複数の他の基地局のうちから前記ターゲット基地局を確定し、そして、前記ユーザ装置に対してハンドオーバーを行うためのハンドオーバーユニットを含む。
【００１０】
本発明の実施例のもう１つの側面によれば、基地局が提供され、ユーザ装置のソース基地局から前記基地局へのハンドオーバーの通信システムに用いられ、前記基地局は、
前記ユーザ装置が送信したハンドオーバー用の上り信号を探測するための探測ユニット；及び
探測結果に基づいて前記ソース基地局に通知メッセージを送信し、これにより、前記ソース基地局が前記通知メッセージに基づいて前記ユーザ装置に対してハンドオーバーを行うようにさせるための通知送信ユニットを含む。
【００１１】
本発明の実施例のもう１つの側面によれば、ユーザ装置が提供され、前記ユーザ装置のソース基地局からターゲット基地局へのハンドオーバーの通信システムに用いられ、前記ユーザ装置は、
前記ソース基地局が送信したトリガーメッセージを受信するためのメッセージ受信ユニット；及び
前記トリガーメッセージに基づいてハンドオーバー用の上り信号を送信し、これにより、１つ又は複数の他の基地局が前記上り信号への探測に基づいて前記ソース基地局に通知メッセージを送信し、及び前記ソース基地局が前記通知メッセージに基づいて前記ユーザ装置に対してハンドオーバーを行うようにさせるための信号送信ユニットを含む。
【００１２】
本発明の実施例のもう１つの側面によれば、上り信号の構成方法が提供され、前記方法は、
第一基地局及び第二基地局がユーザ装置の上り信号の構成情報を協議し；及び
前記第一基地局が前記ユーザ装置に前記上り信号の構成情報を送信し、これにより、前記ユーザ装置が前記構成情報に基づいて前記上り信号を送信し、また前記第二基地局が前記構成情報に基づいて前記上り信号を探測することを含む。
【００１３】
本発明の実施例のもう１つの側面によれば、上り信号の構成方法が提供され、前記方法は、
第二基地局及び第一基地局がユーザ装置の上り信号の構成情報を協議し；及び
前記第二基地局が前記構成情報に基づいて、前記ユーザ装置の送信した上り信号に対して探測を行うことを含む。
【００１４】
本発明の実施例のもう１つの側面によれば、上り信号の構成方法が提供され、前記方法は、
ユーザ装置が第一基地局の送信した上り信号の構成情報を受信し；及び
前記構成情報に基づいて上り信号を送信し、これにより、１つ又は複数の第二基地局が前記上り信号に対して探測を行うことを含む。
【００１５】
本発明の実施例のもう１つの側面によれば、基地局が提供され、前記基地局は、
１つ又は複数の第二基地局とユーザ装置の上り信号の構成情報を協議するための協議ユニット；及び
ユーザ装置に前記上り信号の構成情報を送信するための情報送信ユニットを含む。
【００１６】
本発明の実施例のもう１つの側面によれば、基地局が提供され、前記基地局は、
第一基地局とユーザ装置の上り信号の構成情報を協議するための協議ユニット；及び
前記構成情報に基づいて前記ユーザ装置が送信した上り信号に対して探測を行うための探測ユニットを含む。
【００１７】
本発明の実施例のもう１つの側面によれば、ユーザ装置が提供され、前記ユーザ装置は、
第一基地局が送信した上り信号の構成情報を受信するための情報受信ユニット；
構成メッセージに基づいて上り信号を送信し、これにより、１つ又は複数の第二基地局が前記上り信号に対して探測を行うようにさせるための信号送信ユニットを含む。
【００１８】
本発明の実施例のもう１つの側面によれば、通信システムが提供され、前記通信システムは、上述のようなユーザ装置、及び上述のような基地局を含む。
【００１９】
本発明の実施例のもう１つの側面によれば、コンピュータ読み取り可能なプログラムが提供され、そのうち、基地局中で前記プログラムを実行する時に、前記プログラムは、コンピュータに、前記基地局で上述のような上り信号に基づくハンドオーバー方法、又は上り信号の構成方法を実行させる。
【００２０】
本発明の実施例のもう１つの側面によれば、コンピュータ読み取り可能なプログラムを記憶した記憶媒体が提供され、そのうち、前記コンピュータ読み取り可能なプログラムは、コンピュータに、基地局中で上述のような上り信号に基づくハンドオーバー方法、又は上り信号の構成方法を実行させる。
【００２１】
本発明の実施例のもう１つの側面によれば、コンピュータ読み取り可能なプログラムが提供され、そのうち、ユーザ装置中で前記プログラムを実行する時に、前記プログラムは、コンピュータに、前記ユーザ装置中で上述のような上り信号に基づくハンドオーバー方法、又は上り信号の構成方法を実行させる。
【００２２】
本発明の実施例のもう１つの側面によれば、コンピュータ読み取り可能なプログラムを記憶した記憶媒体が提供され、そのうち、前記コンピュータ読み取り可能なプログラムは、コンピュータに、ユーザ装置中で上述のような上り信号に基づくハンドオーバー方法、又は上り信号の構成方法を実行させる。
【００２３】
本発明の実施例の有益な効果は、ソース基地局がトリガーメッセージを送信することで、ユーザ装置がハンドオーバー用の上り信号を送信するようにトリガーし、１つ又は複数の他の基地局が上り信号に基づいて送信した通知メッセージを受信し、また、通知メッセージに基づいてターゲット基地局を確定し及びユーザ装置に対してハンドオーバーを行うことで、上り信号の測定に基づいてハンドオーバーの判断を加速させ、異なるシナリオ下でのハンドオーバーのニーズを満足することができる。
【００２４】
後述の説明及び図面を参照することで、本発明の特定の実施方式が詳しく開示されており、本発明の原理を採用し得る態様が示されている。なお、本発明の実施方式は、範囲上ではこれによって限定されない。添付した特許請求の範囲内であれば、本発明の実施方式は、様々な変更、修正及び代替によるものを含んでも良い。
【００２５】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００２６】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２７】
以下の図面を参照することで、本発明の多くの側面をより良く理解することができる。図面中の部品は、比例して描いたものではなく、本発明の原理を示すためのものである。また、本発明の一部を便利に示す及び説明するために、図面中の対応する一部を拡大又は縮小することもある。
【００２８】
本発明の１つの図面又は１つの実施方式に説明した要素及び特徴は、１つ又は複数の他の図面又は実施方式に示した要素及び特徴と組み合わせても良い。また、図面では、類似する符号が幾つかの図面中の対応する部品を示し、また、複数の実施方式に用いられる対応する部品を示しても良い。
【図１】本発明の実施例1における上り信号に基づくハンドオーバー方法のフローチャートである。
【図２】本発明の実施例1におけるハンドオーバーシナリオの一例を示す図である。
【図３】本発明の実施例1における上り信号に基づくハンドオーバー方法のもう１つのフローチャートである。
【図４】本発明の実施例1における上り信号に基づくハンドオーバー方法のもう１つのフローチャートである。
【図５】本発明の実施例1における上り信号に基づくハンドオーバー方法のもう１つのフローチャートである。
【図６】本発明の実施例1における基地局間の構成情報交互を示す図である。
【図７】本発明の実施例1における基地局間の構成情報送信のフローチャートである。
【図８】本発明の実施例2における上り信号に基づくハンドオーバー方法のフローチャートである。
【図９】本発明の実施例2における上り信号に基づくハンドオーバー方法のもう１つのフローチャートである。
【図１０】本発明の実施例3における上り信号に基づくハンドオーバー方法のフローチャートである。
【図１１】本発明の実施例3における上り信号に基づくハンドオーバー方法のもう１つのフローチャートである。
【図１２】本発明の実施例4における基地局の構成を示す図である。
【図１３】本発明の実施例4における基地局のもう１つの構成を示す図である。
【図１４】本発明の実施例5における基地局の構成を示す図である。
【図１５】本発明の実施例5における基地局のもう１つの構成を示す図である。
【図１６】本発明の実施例6におけるユーザ装置の構成を示す図である。
【図１７】本発明の実施例6におけるユーザ装置のもう１つの構成を示す図である。
【図１８】本発明の実施例7における上り信号の構成方法のフローチャートである。
【図１９】本発明の実施例8における上り信号の構成方法のフローチャートである。
【図２０】本発明の実施例9における上り信号の構成方法のフローチャートである。
【図２１】本発明の実施例10における基地局の構成を示す図である。
【図２２】本発明の実施例11における基地局の構成を示す図である。
【図２３】本発明の実施例12におけるユーザ装置の構成を示す図である。
【図２４】本発明の実施例13における通信システムの構成を示す図である。
【発明を実施するための形態】
【００２９】
図面及び以下の説明を参照することにより、本発明の前述及び他の特徴がより明確になる。明細書及び図面では、本発明の特定の実施方式を具体的に開示するが、それは、本発明の原理を採用し得る一部の実施方式のみを示すものである。なお、本発明は、開示されている実施方式に限定されず、逆に、本発明は、添付した特許請求の範囲に属する全ての変更、修正及び代替によるものを含む。
【実施例１】
【００３０】
本発明の実施例では上り信号に基づくハンドオーバー方法が提供され、それは、ユーザ装置のソース基地局からターゲット基地局へのハンドオーバーの通信システムに用いられる。以下、ソース基地局側から該ハンドオーバー方法について詳細に説明する。
【００３１】
図1は、本発明の実施例における上り信号に基づくハンドオーバー方法のフローチャートである。図1に示すように、該方法は下記のステップを含む。
【００３２】
ステップ101：ソース基地局がユーザ装置にトリガーメッセージを送信し、該ユーザ装置がハンドオーバー用の上り信号を送信するようにトリガーし；
ステップ102：ソース基地局が、１つ又は複数の他の基地局が上り信号への探測に基づいて送信した通知メッセージを受信し；
ステップ103：ソース基地局が通知メッセージに基づいて１つ又は複数の他の基地局のうちからターゲット基地局を確定し、また、該ユーザ装置に対してハンドオーバーを行う。
【００３３】
本実施例では、基地局がユーザ装置にトリガーメッセージを送信することができる。ユーザ装置は、該トリガーメッセージを受信した後に、予め定義された構成情報、又は既に取得した構成情報、又は該トリガーメッセージに含まれる構成情報などに基づいて、上り信号を送信する。なお、ユーザ装置が具体的に如何に構成情報を取得するかは、実際の状況に基づいてその具体的な実施方式を確定することができるため、本発明はこれについて限定しない。
【００３４】
そのうち、構成情報は、上り信号送信用の周波数、リソースなどを含んでも良い。なお、本発明はこれについて限定せず、実際の上り信号に基づいてその具体的な内容を確定しても良い。また、構成情報の具体的な内容についての詳細な説明は後述する。
【００３５】
本実施例では、１つ又は複数の他の基地局が、ユーザ装置の送信した上り信号を探測し、そして、探測結果に基づいてソース基地局に通知メッセージを送信することができる。ソース基地局は、受信した１つ又は複数の通知メッセージ（又は、他の基地局の状況、例えば、ロードの状況も参照しても良い。）に基づいて、１つ又は複数の他の基地局のうちからターゲット基地局を確定し、また、該ユーザ装置に対してハンドオーバーを行うことができる。
【００３６】
これにより、上り信号に基づいてハンドオーバーに対して判断を行うことができ、従来の下り信号に基づくハンドオーバーの判断方式に比べ、本発明の実施例は、ユーザ装置のハンドオーバーの判断を加速させることで、異なるシナリオ下でのハンドオーバーのニーズを満足することができる。
【００３７】
図2は、本発明の実施例におけるハンドオーバーシナリオの一例を示す図である。図2に示すように、ユーザ装置203は、左から右へ移動する時に、ソース基地局201からターゲット基地局202へのハンドオーバーをトリガーする可能性がある。なお、図2は、本実施例の１つのシナリオを示すが、本発明は、これに限定されない。例えば、セル205が更に、セル204に含まれるsmall  cellであっても良く、つまり、実際の状況に基づいて具体的なシナリオを確定しても良い。
【００３８】
具体的な実施に当たって、ソース基地局が他の基地局と協議を行うことで、基地局側は、ユーザ装置の上り信号の構成情報を得ることができる。ソース基地局は更に、他の基地局にメッセージを送信しても良く、該メッセージは、１つ又は複数のユーザ装置の上り信号の構成情報を含み、これにより、基地局側は、ユーザ装置の上り信号の構成情報を知ることができる。
【００３９】
また、ソース基地局がユーザ装置に上り信号の構成情報を送信することができ、又はソース基地局がトリガーメッセージに上り信号の構成情報を含めることができ、これにより、ユーザ装置側は、上り信号の構成情報を取得することができる。
【００４０】
そのうち、上り信号の構成情報は、下記情報の任意の１種類又は組み合わせを含んでも良く、即ち、
（A）上り信号の送信パワー（電力）；
（B）上り信号を送信するキャリア情報又はセル情報；
（C）ユーザ装置のハンドオーバーのための目標キャリア情報又はセル情報；
具体的な実施に当たって、目標キャリア又は目標セルが所在するキャリアと、ユーザ装置が所在するソースセルのキャリアとが同じである時に、該情報が無くても良く；
（D）ユーザ装置の識別情報；
（E）ユーザ装置の適用すべきユーザタイプ情報；
例えば、該ユーザ装置が高速ユーザであることを示す情報、又は、中間速度ユーザであることを示す情報を設定し、このようにすると、高速ユーザ又は中間速度ユーザのみは、該上り信号の構成情報に基づいて上り信号を送信する必要があり、他の種類のユーザは、該上り信号を送信する必要がなく；
（F）上り信号を送信するリソース情報；
例えば、該リソース情報は、時間領域リソース、周波数領域リソース、空間領域リソースなどのうちの１種類又は組み合わせを含み；
（G）上り信号の回数又は時間情報；
例えば、上り信号を送信すべき回数、最大送信回数、及び最小送信回数のうちの１種類又は組み合わせであり；又は、上り信号の送信を許す時間期間情報、最小時間長さ、及び最大時間長さのうちの１つ又は組み合わせである；
（H）上り信号の特徴情報；
例えば、上り信号の特徴情報は、具体的に、上り信号を生成するシーケンス情報を含んでも良い。具体的な実施に当たって、該上り信号は、ランダムアクセス用のプリアンブルシーケンス信号（preamble）であっても良く；該上り信号の特徴情報は、少なくとも、PRACH-Config、RACH-ConfigCommon、又はRACH-ConfigDedicatedの情報実体のうちの少なくとも１つの情報を含んでも良く；具体的には、TS36.331  v11.2.0を参照することができ；
又は、該上り信号は、SRS（SRS、sounding  reference  signal）であっても良く；該上り信号の特徴情報は、少なくとも、SoundingRS-UL-Configの情報実体のうちの少なくとも１つの情報を含んでも良く；具体的には、TS36.331  v11.2.0を参照することができ、
又は、該上り信号は、DM-RS（DM-RS、demodulation  reference  signal）であっても良く、該上り信号の特徴情報は、少なくとも、DM-RS-Config情報実体のうちの少なくとも１つの情報を含んでも良く；具体的には、TS36.331  v11.2.0を参照することができる。
【００４１】
本実施例では、上り信号の構成情報が、ユーザ装置を区別するため（例えば、異なるユーザ装置の上り信号の構成情報が異なる。）のものであって良く、これにより、基地局側は、異なるユーザ装置のために異なる情報を構成する必要がある。
【００４２】
或いは、セルを区別するため（例えば、異なるセルの上り信号の構成情報が異なるが、同一セル中での全てのユーザ装置が同じである。）、これにより、基地局側は、異なるセルのユーザ装置のために異なる情報を構成する必要があり、同一セルのユーザ装置のために同じ情報を構成することができる。
【００４３】
或いは、基地局を区別するため（例えば、異なる基地局の上り信号の構成情報が異なるが、同一基地局下での全てのセルの全てのユーザ装置の上り信号の構成情報が同じである。）、これにより、基地局側は、異なる基地局下でのユーザ装置のために異なる情報を構成する必要があり、同一基地局下でのユーザ装置のために同じ情報を構成することができる。
【００４４】
また、上り信号の構成情報全体のうち、一部は、ユーザを区別するためのものであり、一部は、セルを区別するためのものであり、一部は、基地局を区別するためのものであっても良い。
【００４５】
なお、以上は、上り信号の構成情報のみについて例示的に説明したが、本発明はこれに限定されず、実際の状況に基づいて構成情報の具体的な実施方式を構成しても良い。
【００４６】
１つの実施方式では、トリガーメッセージが上り信号の構成情報を含んでも良く、ユーザ装置は、該上り信号の構成情報を得ることができる。もう１つの実施方式では、ソース基地局がユーザ装置に上り信号の構成情報を送信しても良い。
【００４７】
図3は、本発明の実施例における上り信号に基づくハンドオーバー方法のもう１つのフローチャートである。図3に示すように、該方法は下記のステップを含む。
【００４８】
ステップ301：ソース基地局が、ユーザ装置に上り信号の構成情報を送信し；
ステップ302：ソース基地局が、ユーザ装置にトリガーメッセージを送信し；
ステップ303：ユーザ装置がトリガーメッセージに基づいて、ハンドオーバー用の上り信号を送信し；
ステップ304：他の基地局が、該上り信号に対して探測を行い；
ステップ305：ソース基地局が、１つ又は複数の他の基地局が上り信号への探測に基づいて送信した通知メッセージを受信し；
ステップ306：ソース基地局が通知メッセージに基づいて１つ又は複数の他の基地局のうちからターゲット基地局を確定し、また、該ユーザ装置に対してハンドオーバーを行う。
【００４９】
なお、ステップ301及びステップ302には順序関係がなく、構成情報は、トリガーメッセージの前に送信されても良く、トリガーメッセージの後に送信されても良く、又は、それと同時に送信されても良い。また、実際の状況に基づいて具体的な実施方式を確定しても良い。
【００５０】
本実施方式では、基地局の間での上り信号の構成情報については、予め定義しても良く、予め取得しても良く、実際の状況に基づいて具体的な実施方式を確定しても良い。
【００５１】
もう１つの実施方式では、基地局の間でメッセージを送信することで、ユーザ装置の上り信号の構成情報を知っても良い。図4は、本発明の実施例における上り信号に基づくハンドオーバー方法のもう１つのフローチャートである。図4に示すように、該方法は下記のステップを含む。
【００５２】
ステップ401：ソース基地局が、他の基地局にユーザ装置の上り信号の構成情報を送信し；
ステップ402：ソース基地局が、ユーザ装置に上り信号の構成情報を送信し；
ステップ403：ソース基地局が、ユーザ装置にトリガーメッセージを送信し；
ステップ404：ユーザ装置が、トリガーメッセージに基づいて、ハンドオーバー用の上り信号を送信し；
ステップ405：他の基地局が、該上り信号に対して探測を行い；
ステップ406：ソース基地局が、１つ又は複数の他の基地局が上り信号への探測に基づいて送信した通知メッセージを受信し；
ステップ407：ソース基地局が、通知メッセージに基づいて１つ又は複数の他の基地局のうちからターゲット基地局を確定し、また、該ユーザ装置に対してハンドオーバーを行う。
【００５３】
なお、ステップ401、ステップ402及びステップ403には順序関係がなく、実際の状況に基づいて具体的な実施方式を確定しても良い。本実施方式では、基地局の間は、１つ又は複数のメッセージにより、上り信号の構成情報を直接送信しても良い。
【００５４】
もう１つの実施方式では、基地局の間は、協議を行い、又は、メッセージを送信することでユーザ装置の上り信号の構成情報を知っても良い。図5は、本発明の実施例における上り信号に基づくハンドオーバー方法のもう１つのフローチャートである。図5に示すように、該方法は下記のステップを含む。
【００５５】
ステップ501：ソース基地局（基地局A）が、少なくとも１つの他の基地局（基地局B）とユーザ装置の上り信号の構成情報を協議し；
ステップ502：ソース基地局が、他の基地局に少なくとも１つのユーザ装置の上り信号の構成情報を送信し；
ステップ503：ソース基地局が、構成情報に基づいて、ユーザ装置が上り信号を少なくとも一回送信するようにトリガーし、他の基地局が、構成情報に基づいて上り信号を探測し；
ステップ504：他の基地局が、探測の状況に基づいてソース基地局に通知メッセージを送信し；
ステップ505：ソース基地局が、通知メッセージに基づいて、ユーザ装置のハンドオーバー・プロスィージャーをトリガーする。
【００５６】
なお、図3ないし図5は、発明の具体的な実施方式のみを例示的に示すが、本発明はこれに限定されない。以下、図5に示すプロセスを例とし、本発明について更に詳しく説明する。
【００５７】
ステップ501で、ソース基地局が他の基地局とユーザ装置の上り信号の構成情報を協議することは、具体的に、ソース基地局が他の基地局に第一メッセージを送信し、該第一メッセージは、ソース基地局の１つ又は複数のユーザ装置の上り信号の構成情報を含み；ソース基地局が、他の基地局から返された第二メッセージを受信し、該第二メッセージは、確認メッセージであり、又は、他の基地局の１つ又は複数のユーザ装置の上り信号の構成情報を含む、ことを含む。
【００５８】
図6は、基地局間における上り信号の構成情報の交互フローチャートである。図6に示すように、基地局Aと基地局Bとの間は、上り信号の構成情報について交互（交換）を行うことができる。各基地局は、そのユーザ装置の上り信号の構成情報を決定することができる。その後、基地局Aは、そのユーザ装置の上り信号の構成情報を含むメッセージ1（第一メッセージ）を基地局Bに送信する。オプションで、基地局Bは、確認メッセージを返し、又は、基地局Bのユーザ装置の上り信号の構成情報を含むメッセージ2（第二メッセージ）を返す。なお、もし幾つかの上り信号の構成情報が予め定義されたものであり、又は、各基地局により既に知られているものであれば、該ステップ中では交互を行う必要がない。
【００５９】
また、基地局Aは、異なるメッセージ（例えば、メッセージ1、メッセージ1’、メッセージ1’’など）により、基地局Bに、そのユーザ装置の上り信号の構成情報中の異なる部分を送信しても良い。同様に、基地局Bは、異なるメッセージ（例えば、メッセージ2、メッセージ2’、メッセージ2’’など）を用いて、基地局に、そのユーザ装置の上り信号の構成情報中の異なる部分を返しても良い。
【００６０】
具体的な実施に当たって、メッセージ1（第一メッセージ）は、X2セットアップ要求メッセージ（X2  setup  request  message）であっても良く、又は、基地局構成更新メッセージ（eNB  configuration  update  message）であっても良い；メッセージ2（第二メッセージ）は、X2セットアップレスポンスメッセージ（X2  setup  response  message）であっても良く、又は、基地局構成更新メッセージ（eNB  configuration  update  message）であっても良い。メッセージの具体的な内容については、3GPP  TS36.423  v11.3.0を参照することができる。なお、本発明はこれに限定されず、第一メッセージは、他の既存メッセージ又は新しく定義されるメッセージであって良く、第二メッセージは、他の既存メッセージ又は新しく定義されるメッセージであっても良い。
【００６１】
本実施例では、各基地局が、複数の基地局と該上り信号の構成情報を交換し、また、これらの交換の情報に基づいて、そのユーザ装置の上り信号の構成情報を最終的に確定することができる。よって、該基地局が他の基地局と交換を行う時に用いる上り信号の構成情報は、その最終的に決定したそのユーザ装置の上り信号の構成情報とは異なる可能性があり（例えば、基地局は、ロードなどの状況に基づいてそれ相応に調整することができる。）、また、この最終的に決定した情報は、ユーザ装置が上り信号を送信する時に用いる構成情報である。
【００６２】
ステップ502で、ソース基地局が他の基地局に第三メッセージを送信することができ、第三メッセージは、ソース基地局の１つ又は複数のユーザ装置の上り信号の構成情報を含む。具体的な実施に当たって、ユーザ装置の信号強度及び/又は信号品質が予め設定された閾値より小さい時に、又はOAM（OAM、Operation  Administration  and  Maintenance）システムトがリガーされた時に、又は予め設定された条件がトリガーされた時に、ソース基地局は、他の基地局に該第三メッセージを送信する。
【００６３】
ステップ502は、更に、ソース基地局が他の基地局の送信した第四メッセージを受信することを含み、該第四メッセージは、第三メッセージ中の全て又は一部のユーザ装置の上り信号の構成情報を拒否するために用いられる。そのうち、第四メッセージは、拒否原因（理由）及び/又は推薦ユーザ装置の上り信号の構成情報を含む。
【００６４】
図7は、基地局間において上り信号の構成情報を送信するフローチャートである。図7に示すように、基地局Aは基地局Bに上り信号の構成情報を送信する。メッセージ3（第三メッセージ）は、少なくとも１つのユーザ装置の上り信号の構成情報を含む。基地局Aがメッセージ3を送信した後に、基地局Bは拒否することができる。
【００６５】
本実施例では、拒否の原因は、基地局Bがメッセージ3中の構成情報に基づいてユーザ装置の上り信号を探測できず、又は上り信号への干渉が比較的に酷く、又は該ユーザ装置の上り信号の構成が他のセルのユーザ装置の上り信号の構成と衝突しているなどを含む。
【００６６】
基地局Bは、メッセージ4（第四メッセージ）を返すことで、メッセージ3中の全てのユーザ又は一部のユーザの上り信号の構成情報を拒否しても良い。メッセージ4は、拒否原因（例えば、適切でない上り信号の構成、又は、上り信号に基づくハンドオーバーメカニズムをサポートできないなど）、及び/又は推薦の対応するユーザの上り信号の構成情報を含んでも良い。
【００６７】
具体的な実施に当たって、メッセージ3（第三メッセージ）は、ハンドオーバー要求メッセージ（handover  request）であっても良く、メッセージ4（第四メッセージ）は、ハンドオーバー準備失敗メッセージ（handover  preparation  failure）であっても良い。メッセージの具体的な内容については、3GPP  TS36.423  v11.3.0を参照しても良い。なお、本発明はこれに限定されず、第三メッセージは、他の既存メッセージ又は新しく定義されるメッセージであっても良く、第四メッセージは、他の既存メッセージ又は新しく定義されるメッセージであっても良い。
【００６８】
なお、図5は同時にステップ501及びステップ502を示しているが、本発明はこれに限定されない。例えば、ステップ501だけを実行しても良く、又は、ステップ502だけ（図4の状況を参照）を実行しても良く、又はステップ501及びステップ502の両方を実行してなくても良い（図3の状況を参照）。
【００６９】
ステップ503で、ソース基地局（基地局A）側では、１つのユーザ装置の上り信号の構成（例えば、ステップ501の後に直ちにステップ503を実行し、又はステップ501を実行せずにステップ502の後にステップ503を実行し、又はステップ501及び502の後に、又はOAMがトリガーされた後に、又はトリガー条件がないなど）を決定した後に、ソース基地局が、以下の方式で、ユーザ装置が上り信号を送信するようにトリガーすることができる。
【００７０】
ユーザ装置が上り信号を送信するようにトリガーする前に、基地局Aは、ユーザ装置の上り信号の構成情報を、少なくとも１つのメッセージにより、ユーザ装置に送信しても良い。例えば、該ユーザ装置の全ての上り信号の構成情報を、１つのメッセージにより、該ユーザ装置に送信し、又は、該ユーザ装置の上り信号の構成情報を複数の部分（各部分は重畳（overlap）の内容を有しても良く、完全に異なる部分であっても良い。）に分けて、そして、異なる部分を、異なるメッセージにより、該ユーザ装置に送信しても良い。なお、これらの構成情報の送信は、ステップ501の後に、又は、ステップ501を実行せずにステップ502の後に、又は、ステップ501及び502の後に、又は、OAMのトリガー、又は、任意のタイミングに実行されても良い。
【００７１】
ユーザ装置が上り信号の全ての構成情報を受信した後に、基地局Aは、メッセージ5（上り信号トリガーメッセージと称しても良い）を送信することで、ユーザ装置が上り信号を送信するようにトリガーしても良い。また、上述の全て又は一部の上り信号の構成情報は、メッセージ5によりユーザ装置に送信されても良い。
【００７２】
ユーザ装置がメッセージ5を受信した後に、上り信号の送信は、次のように２種類の方式を有する。
【００７３】
（1）１つのメッセージ5は、一回だけ上り信号の送信（図5に示すように、第二個目の、ドット線で示されるメッセージ5がもう１回の上り信号の送信をトリガーしている。）をトリガーすることができ；
（2）１つのメッセージ5は、上り信号の送信を複数回トリガーすることができる。
【００７４】
上述の各方式では、上り信号送信用のリソースが、上り信号の構成メッセージにより構成されても良く、上り信号トリガーメッセージにより構成されても良い。
【００７５】
ステップ503で、他の基地局（基地局B）側では、基地局Bがメッセージ3中の上り信号の構成情報を受信できる場合、下記の少なくとも１種類の処理を行うことができる。
【００７６】
（a）基地局A下でのユーザが上り信号を送信する時に所在する周波数又は所在する周波数に対応するセルがアクティブにされていない（例えば、スリープ状態にある。）場合、基地局Bは、該周波数又は該セルをアクティブにすることができ、少なくとも、該周波数又は該セルの受信機をアクティブにすることができ；
（b）１つのタイマーを起動させ、メッセージ3を返す時間（該タイマーは、ステップ502中のメッセージ3を受信した時に起動させられても良く、又は、ユーザの第１個目の上り信号を受信した時に起動させられても良く、本発明はこれについて限定しない）を決定し；
（c）メッセージ3を返す前にユーザ装置の上り信号を探測する。
【００７７】
なお、上述のこの三つの処理は、任意の順序で又は同時に行うことができ、また、実際の状況に基づいて確定することができる。
【００７８】
ステップ504では、基地局Bは、設定されたタイマーが切れた前に既にユーザ装置の上り信号を探測した時に、メッセージ6（通知メッセージ）を基地局Aに送信し、これにより、基地局Aに、「基地局Bがユーザ装置の上り信号を探測した」を通知しても良い。
【００７９】
基地局Bは、予め設定された条件に基づいてユーザ装置を判断することができる。ユーザ装置の上り信号が探測され得る条件は、ユーザ装置の上り信号が一定回数、正確に受信された、及び/又は、正確に受信されたユーザの上り信号のうち、信号強度又は信号品質が所定閾値を超えた回数は所定値を超えたということであっても良い。
【００８０】
本実施例では、メッセージ6（通知メッセージ）は、少なくとも、下記の１種類の情報を含み、即ち、
（a）上り信号が基地局Bにより探測されたユーザの識別子；
（b）探測された上り信号の個数；
（c）探測された上り信号の信号強度又は信号品質、及び/又は、探測された上り信号の平均信号強度又は平均信号品質；
ここでは、ユーザ装置の上り信号の信号強度又は信号品質が１つの絶対値であって良く、１つの相対値（例えば、某閾値に対するものであり、即ち、ユーザ装置の上り信号の信号強度又は信号品質から該閾値をマイナス（減算）したものであり、また該閾値は、基地局Bにより設定されたものであっても良く、OAMにより設定されたものであって良く）であっても良く；
（d）上り信号が探測され得ると判定する時に用いる信号強度又は信号品質の閾値。
【００８１】
具体的な実施に当たって、メッセージ6は、ハンドオーバー要求確認メッセージ（handover  request  acknowledge）であっても良い。メッセージの具体的な内容については、3GPP  TS36.423  v11.3.0を参照することができる。なお、本発明はこれに限定されず、他の既存のメッセージ又は新しく定義されるメッセージであっても良い。
【００８２】
なお、ステップ503で設定されたタイマーが切れた後に、ユーザ装置の上り信号が探測され得る条件を依然として満足していないと判定するときに、基地局Bは、ユーザ装置の上り信号の探測を停止し、又は、基地局Aに、ユーザ装置の上り信号が探測されていないことを示す１つのメッセージを返す可能性がある。
【００８３】
ステップ505で、基地局Aは、基地局Bが送信したメッセージ6を受信することができる。また、基地局Aは、他の基地局からのメッセージ6を受信することもできる。
【００８４】
基地局Aは、受信した少なくとも１つの基地局からのメッセージ6に基づいて、ユーザ装置のために適切なハンドオーバー目標（ターゲット）を選択し、その後、それらの上り信号が基地局B又は他の基地局により探測されたユーザ装置のハンドオーバー・プロスィージャーを起動することができる。
【００８５】
なお、具体的な実施に当たって、メッセージ5及び6がそれぞれ、ハンドオーバー要求メッセージ及びハンドオーバー要求確認メッセージであるとき、ステップ5で基地局Aは、それ相応のユーザ装置にハンドオーバー命令を送信することで、ハンドオーバー・プロスィージャーを起動する。そうでない場合、基地局Aは、ターゲット基地局にハンドオーバー要求メッセージを送信することで、該ユーザ装置のハンドオーバー・プロスィージャーを起動する。
【００８６】
本実施例では、ユーザ装置の上り信号の受信に必要な時間が比較的短い。よって、システムは、上り信号の測定により、ユーザのハンドオーバー判断を加速させることができる。
【００８７】
上述の実施例から分かるように、ソース基地局がトリガーメッセージを送信することで、ユーザ装置がハンドオーバー用の上り信号を送信するようにトリガーし、１つ又は複数の他の基地局が上り信号に基づいて送信した通知メッセージを受信し、また、通知メッセージに基づいてターゲット基地局を確定し及びユーザ装置に対してハンドオーバーを行い、これによって、上り信号の測定に基づいてハンドオーバーの判断を加速させ、異なるシナリオ下でのハンドオーバーのニーズを満足することができる。
【実施例２】
【００８８】
本発明の実施例では上り信号に基づくハンドオーバー方法が提供され、それはユーザ装置のソース基地局からターゲット基地局へのハンドオーバーの通信システムに用いられる。本実施例ではターゲット基地局側から説明を行い、ここでは実施例1と同じ内容が省略する。
【００８９】
図8は、本発明の実施例における上り信号に基づくハンドオーバー方法のフローチャートである。図8に示すように、該方法は下記のステップを含む。
【００９０】
ステップ801：ターゲット基地局が、ユーザ装置が送信したハンドオーバー用の上り信号を探測し；
ステップ802：ターゲット基地局が、上り信号への探測に基づいて、ソース基地局に通知メッセージを送信し、これにより、ソース基地局が通知メッセージに基づいてユーザ装置に対してハンドオーバーを行う。
【００９１】
図9は、本発明の実施例における上り信号に基づくハンドオーバー方法のもう１つのフローチャートである。図9に示すように、該方法は下記のステップを含む。
【００９２】
ステップ901：ターゲット基地局が、ユーザ装置が送信したハンドオーバー用の上り信号を探測し；
ステップ902：ターゲット基地局が、上り信号への探測に基づいて、ソース基地局に通知メッセージを送信し、これにより、ソース基地局が通知メッセージに基づいてユーザ装置に対してハンドオーバーを行う。
【００９３】
図9に示すように、該方法は更に下記のステップを含む。
【００９４】
ステップ9001：ターゲット基地局がソース基地局とユーザ装置の上り信号の構成情報を協議する。
【００９５】
具体的な実施に当たって、ステップ9001は具体的に、ターゲット基地局がソース基地局の送信した第一メッセージを受信し、該第一メッセージは、ソース基地局のユーザ装置の上り信号の構成情報を含み；ターゲット基地局がソース基地局に第二メッセージを返し、該第二メッセージは確認メッセージであり、又は、ターゲット基地局のユーザ装置の上り信号の構成情報を含む、ことを含む。
【００９６】
例えば、第一メッセージは、X2セットアップ要求メッセージ又は基地局構成更新メッセージであっても良く、第二メッセージは、X2セットアップレスポンスメッセージ又は基地局構成更新メッセージであっても良い。なお、本発明はこれに限定されず、他のメッセージ又は新しく定義されるメッセージを使用しても良い。
【００９７】
図9に示すように、該方法は更に下記のステップを含む。
【００９８】
ステップ9002：ターゲット基地局が、ソース基地局の送信した第三メッセージを受信し、該第三メッセージは、ソース基地局の１つ又は複数のユーザ装置の上り信号の構成情報を含む。
【００９９】
図9に示すように、オプションで、該方法は更に下記のステップを含む。
【０１００】
ステップ9003：ターゲット基地局がソース基地局に第四メッセージを送信し、該第四メッセージは、第三メッセージ中の全て又は一部のユーザ装置の上り信号の構成情報を拒否するためのものである。
【０１０１】
そのうち、第四メッセージは拒否原因、及び/又は推薦ユーザ装置の上り信号の構成情報を含む。
【０１０２】
具体的な実施に当たって、例えば第三メッセージは、ハンドオーバー要求メッセージであっても良く、第四メッセージはハンドオーバー準備失敗メッセージであっても良い。なお、本発明はこれに限定されず、他のメッセージ又は新しく定義されるメッセージを使用しても良い。
【０１０３】
本実施例では、上り信号の構成情報は、下記の情報の任意の１種類又は組み合わせを含んでも良く、即ち、上り信号の送信パワー；上り信号を送信するキャリア情報又はセル情報；ユーザ装置のハンドオーバーのための目標キャリア情報又はセル情報；ユーザ装置の識別情報；ユーザ装置の適用すべきユーザタイプ情報；上り信号を送信するリソース情報；上り信号の回数又は時間情報；上り信号の特徴情報である。
【０１０４】
そのうち、上り信号の回数又は時間情報は具体的に、上り信号を送信すべき回数、最大送信回数、及び最小送信回数のうちの１種類又は組み合わせを含んでも良く；又は、上り信号の送信を許す時間期間情報、最小時間長さ、及び最大時間長さのうちの一つ又は組み合わせを含んでも良い。
【０１０５】
そのうち、上り信号の特徴情報は具体的に、上り信号を生成するシーケンス情報を含む。なお、本発明はこれに限定されず、上り信号の特徴情報は具体的に他の情報を更に含んでも良く、実際の状況に基づいて具体的な内容を確定することができる。
【０１０６】
具体的な実施に当たって、上り信号は、ランダムアクセス用のプリアンブルシーケンス信号であっても良く；該上り信号の特徴情報は、少なくとも、PRACH-Config、RACH-ConfigCommon又はRACH-ConfigDedicated情報実体のうちの少なくとも１つの情報であっても良く；又は、上り信号はSRSであっても良く；上り信号の特徴情報は、少なくとも、SoundingRS-UL-Config情報実体のうちの少なくとも１つの情報を含んでも良い。或いは、上り信号は解調参照信号であっても良く、該上り信号の特徴情報は、少なくとも、DM-RS-Config情報実体のうちの少なくとも１つの情報を含んでも良い。
【０１０７】
本実施例では、上り信号の構成情報は、ユーザ装置を区別するためのものであり；又は、セルを区別するためのものであり；又は、基地局を区別するためのものであっても良い。又は、上り信号の構成情報は、一部がユーザを区別するためのものであり、一部がセルを区別するためのものであり、一部が基地局を区別するためのであっても良い。実際の状況に基づいて具体的な構成方式を確定することができる。
【０１０８】
本実施例では、該方法は更に、ターゲット基地局が上り信号の所在する周波数、又は該周波数に対応するセル受信機をアクティブにすることを含む。
【０１０９】
本実施例では、該方法は更に、ターゲット基地局がタイマーを設定し、且つ、ターゲット基地局が、該タイマーが切れた前に上り信号を探測することを含む。
【０１１０】
本実施例では、該方法は更に、ターゲット基地局が上り信号に基づいて、ユーザ装置がハンドオーバーを行うことができるかどうかを判断し、また、判断結果に基づいてソース基地局に通知メッセージを送信することを更に含む。
【０１１１】
具体的な実施に当たって、ターゲット基地局が上り信号に基づいて、ユーザ装置がハンドオーバーを行うことができるかどうかを判断することは、具体的に、探測した上り信号が予め設定された条件を満足した時に、ユーザ装置がハンドオーバーを行うことができると判断する。
【０１１２】
そのうち、予め設定された条件は、上り信号が正確に受信された所定の回数、及び/又は、正確に受信された上り信号のうち、信号強度又は信号品質が所定閾値を超えた回数が、予め設定された閾値を超えたということを含む。
【０１１３】
本実施例では、通知メッセージは、下記の情報のうち、１種類又は組み合わせを含んでも良く、即ち、上り信号がターゲット基地局により探測されたユーザ装置の識別子；探測された上り信号の個数；探測された上り信号の信号強度又は信号品質；探測された上り信号の平均信号強度又は平均信号品質；上り信号が探測され得ると判定する時に用いる信号強度又は信号品質の閾値である。
【０１１４】
上述の実施例から分かるように、少なくとも１つの基地局がユーザ装置の送信した上り信号を探索し、探測の状況に基づいてソース基地局に通知メッセージを送信することで、ソース基地局は、該通知メッセージに基づいて、ターゲット基地局及びユーザ装置に対してハンドオーバーを行い、これにより、上り信号の測定に基づいてハンドオーバーの判断を加速させ、異なるシナリオ下でのハンドオーバーのニーズを満足することができる。
【実施例３】
【０１１５】
本発明の実施例では上り信号に基づくハンドオーバー方法が提供され、それはユーザ装置のソース基地局からターゲット基地局へのハンドオーバーの通信システムに用いられる。本実施例ではユーザ装置側から説明を行い、ここでは実施例1と同じ内容が省略される。
【０１１６】
図10は本発明の実施例における上り信号に基づくハンドオーバー方法のフローチャートである。図10に示すように、該方法は下記のステップを含む。
【０１１７】
ステップ1001：ユーザ装置が、ソース基地局の送信したトリガーメッセージを受信し；
ステップ1002：ユーザ装置が、トリガーメッセージに基づいてハンドオーバー用の上り信号を送信し、これにより、１つ又は複数の他の基地局が上り信号への探測に基づいてソース基地局に通知メッセージを送信し、及びソース基地局が通知メッセージに基づいてユーザ装置に対してハンドオーバーを行う。
【０１１８】
１つの実施方式では、トリガーメッセージには上り信号の構成情報が含まれても良く、ユーザ装置が該上り信号の構成情報を得ることができる。もう１つの実施方式では、ソース基地局は、ユーザ装置に上り信号の構成情報を送信することができる。
【０１１９】
図11は、本発明の実施例における上り信号に基づくハンドオーバー方法のもう１つのフローチャートである。図11に示すように、該方法は下記のステップを含む。
【０１２０】
ステップ1101：ユーザ装置が、ソース基地局の送信した上り信号の構成情報を受信し；
ステップ1102：ユーザ装置が、ソース基地局の送信したトリガーメッセージを受信し；
ステップ1103：ユーザ装置が、トリガーメッセージに基づいて、ハンドオーバー用の上り信号を送信する。
【０１２１】
本実施例では、ユーザ装置がトリガーメッセージに基づいて、一回又は複数回、上り信号を送信することができる。
【０１２２】
本実施例では、上り信号の構成情報は、以下の情報の任意の１種類又は組み合わせを含んでも良く、即ち、上り信号の送信パワー；上り信号を送信するキャリア情報又はセル情報；ユーザ装置のハンドオーバーのための目標キャリア情報又はセル情報；ユーザ装置の識別情報；ユーザ装置の適用すべきユーザタイプ情報；上り信号を送信するリソース情報；上り信号の回数又は時間情報；上り信号の特徴情報である。
【０１２３】
そのうち、上り信号の回数又は時間情報は具体的に、上り信号を送信すべき回数、最大送信回数、及び最小送信回数のうち、１種類又は組み合わせを含んでも良く；又は、上り信号の送信を許す時間期間情報、最小時間長さ、及び最大時間長さのうち、一つ又は組み合わせを含んでも良い。
【０１２４】
そのうち、上り信号の特徴情報は具体的に、上り信号を生成するシーケンス情報を含んでも良い。なお、本発明はこれに限定されず、上り信号の特徴情報は具体的に、他の情報を含んでも良く、実際の状況に基づいて具体的な内容を確定することができる。
【０１２５】
具体的な実施に当たって、上り信号は、ランダムアクセス用のプリアンブルシーケンス信号であっても良く；該上り信号の特徴情報は、少なくとも、PRACH-Config、RACH-ConfigCommon、又はRACH-ConfigDedicated情報実体中の少なくとも１つの情報を含んでも良く；又は、上り信号はSRSであっても良く；上り信号の特徴情報は、少なくとも、SoundingRS-UL-Config情報実体中の少なくとも１つの情報を含んでも良い。又は、上り信号は解調参照信号であっても良く、上り信号の特徴情報は少なくとも、DM-RS-Config情報実体中の少なくとも１つの情報を含む。
【０１２６】
本実施例では、上り信号の構成情報はユーザ装置を区別用であっても良く、又はセルを区別用であっても良く、又は基地局を区別用であっても良い。あるいは、上り信号の構成情報は、一部がユーザを区別用であり、一部がセルを区別用であり、一部が基地局を区別用であっても良い。
【０１２７】
上述の実施例から分かるように、ユーザ装置が上り信号を送信し、少なくとも１つの基地局が上り信号を探測した後に探測の状況に基づいてソース基地局に通知メッセージを送信することで、ソース基地局が該通知メッセージに基づいてターゲット基地局及びユーザ装置に対してハンドオーバーを行い、これにより、上り信号の測定に基づいてハンドオーバーの判断を加速させ、異なるシナリオ下でのハンドオーバーのニーズを満足することができる。
【実施例４】
【０１２８】
本発明の実施例では基地局が提供され、それはユーザ装置が該基地局からターゲット基地局へハンドオーバーする通信システムに用いられる。本実施例は実施例1におけるハンドオーバー方法に対応するので、ここでは同じ内容が省略される。
【０１２９】
図12は、本発明の実施例における基地局の構成を示す図である。図12に示すように、該基地局1200は、メッセージ送信ユニット1201、通知受信ユニット1202及びハンドオーバーユニット1203を含む。基地局1200の他の部分は、従来の技術を参照することができる。
【０１３０】
そのうち、メッセージ送信ユニット1201が、ユーザ装置にトリガーメッセージを送信し、これにより、該ユーザ装置がハンドオーバー用の上り信号を送信するようにトリガーし；通知受信ユニット1202が、１つ又は複数の他の基地局が上り信号への探測に基づいて送信した通知メッセージを受信し；ハンドオーバーユニット1203が、通知メッセージに基づいて、１つ又は複数の他の基地局のうちからターゲット基地局を確定し、また、該ユーザ装置に対してハンドオーバーを行うために用いられる。
【０１３１】
図13は、本発明の実施例における基地局のもう１つの構成を示す図である。図13に示すように、該基地局1300は、メッセージ送信ユニット1201、通知受信ユニット1202及びハンドオーバーユニット1203を上述のように含む。
【０１３２】
図13に示すように、基地局1300は更に協議ユニット1304を含み、それは、他の基地局とユーザ装置の上り信号の構成情報を協議するために用いられる。
【０１３３】
具体的な実施に当たって、協議ユニット1304は具体的に第一送信ユニット及び第一受信ユニットを含む。第一送信ユニットは、他の基地局に第一メッセージを送信し、該第一メッセージは、ソース基地局のユーザ装置の上り信号の構成情報を含み；第一受信ユニットは、他の基地局が返した第二メッセージを含み、該第二メッセージは確認メッセージであり、又は、他の基地局のユーザ装置の上り信号の構成情報を含む。
【０１３４】
図13に示すように、基地局1300は更に第二送信ユニット1305を含み、それは他の基地局に第三メッセージを送信し、該第三メッセージは、該基地局の１つ又は複数のユーザ装置の上り信号の構成情報を含む。
【０１３５】
図13に示すように、基地局1300は更に第二受信ユニット1306を含み、それは他の基地局が送信した第四メッセージを受信し、該第四メッセージは第三メッセージ中の全て又は一部のユーザ装置の上り信号の構成情報を拒否するためのものである。
【０１３６】
１つの実施方式では、メッセージ送信ユニット1201が送信したトリガーメッセージ中は上り信号の構成情報を含む。もう１つの実施方式では、基地局は更に情報送信ユニットを含み、それはユーザ装置に上り信号の構成情報を送信するためのものである。
【０１３７】
上述の実施例から分かるように、ソース基地局がトリガーメッセージを送信することで、ユーザ装置がハンドオーバー用の上り信号を送信するようにトリガーし、１つ又は複数の他の基地局が上り信号に基づいて送信した通知メッセージを受信し、また、通知メッセージに基づいてターゲット基地局を確定し及びユーザ装置に対してハンドオーバーを行い、これにより、上り信号の測定に基づいてハンドオーバーの判断を加速させ、異なるシナリオ下でのハンドオーバーのニーズを満足することができる。
【実施例５】
【０１３８】
本発明の実施例では基地局が提供され、それはユーザ装置がソース基地局から該基地局へハンドオーバーする通信システムに用いられる。本実施例は実施例2におけるハンドオーバー方法に対応し、ここでは同じ内容が省略される。
【０１３９】
図14は、本発明の実施例における基地局の構成を示す図である。図14に示すように、該基地局1400は、探測ユニット1401及び通知送信ユニット1402を含む。基地局1400の他の部分は従来の技術を参照することができる。
【０１４０】
そのうち、探測ユニット1401は、ユーザ装置が送信したハンドオーバー用の上り信号を探測し；通知送信ユニット1402は、上り信号への探測に基づいてソース基地局に通知メッセージを送信し、これにより、ソース基地局は通知メッセージに基づいてユーザ装置に対してハンドオーバーを行う。
【０１４１】
図15は本発明の実施例の基地局のもう１つの構成を示す図である。図15に示すように、該基地局1500は、探測ユニット1401及び通知送信ユニット1402を上述にように含む。
【０１４２】
図15に示すように、基地局1500は更に協議ユニット1503を含み、それはソース基地局とユーザ装置の上り信号の構成情報を協議するためのものである。
【０１４３】
具体的な実施に当たって、協議ユニット1503は具体的に第三受信ユニット及び第三送信ユニットを含む。第三受信ユニットは、ソース基地局が送信した第一メッセージを受信し、該第一メッセージは、ソース基地局のユーザ装置の上り信号の構成情報を含み；第三送信ユニットは、ソース基地局が返した第二メッセージを含み；該第二メッセージは、認メッセージであっても良く、該基地局のユーザ装置の上り信号の構成情報を含んでも良い。
【０１４４】
図15に示すように、基地局1500は更に第四受信ユニット1504を含み、それはソース基地局が送信した第三メッセージを含み、該第三メッセージはソース基地局の１つ又は複数のユーザ装置の上り信号の構成情報を含む。
【０１４５】
図15に示すように、基地局1500は更に第四送信ユニット1505を含み、それはソース基地局に第四メッセージを送信し、該第四メッセージは第三メッセージ中の全て又は一部のユーザ装置の上り信号の構成情報を拒否するために用いられる。
【０１４６】
もう１つの実施方式では、基地局は更に、アクティブ化ユニットを含み、それは上り信号の所在の周波数、又は該周波数に対応のセル受信機をアクティブにするためのものである。
【０１４７】
もう１つの実施方式では、基地局は更にタイマー設定ユニットを含み、それはタイマーを設定するためのものであり；また、探測ユニット1401はタイマーが切れた前に上り信号を探測する。
【０１４８】
もう１つの実施方式では、基地局は更に判断ユニットを含み、それは上り信号に基づいて、ユーザ装置がハンドオーバーを行うことができるかどうかを判断し；また、通知送信ユニット1402は判断結果に基づいて、ソース基地局に通知メッセージを送信する。
【０１４９】
上述の実施例から分かるように、少なくとも１つの基地局がユーザ装置の送信した上り信号を探測し、探測の状況に基づいてソース基地局に通知メッセージを送信することで、ソース基地局が該通知メッセージに基づいてターゲット基地局及びユーザ装置に対してハンドオーバーを行い、これにより、上り信号の測定に基づいてハンドオーバーの判断を加速させ、異なるシナリオ下でのハンドオーバーのニーズを満足することができる。
【実施例６】
【０１５０】
本発明の実施例ではユーザ装置が提供され、それは該ユーザ装置がソース基地局からターゲット基地局へハンドオーバーする通信システムに用いられる。本実施例は実施例3におけるハンドオーバー方法に対応し、ここでは同じ内容が省略される。
【０１５１】
図16は、本発明の実施例におけるユーザ装置の構成を示す図である。図16に示すように、該ユーザ装置1600は、メッセージ受信ユニット1601及び信号送信ユニット1602を含む。ユーザ装置1600の他の部分は、従来の技術を参照することができる。
【０１５２】
そのうち、メッセージ受信ユニット1601は、ソース基地局の送信したトリガーメッセージを受信し；信号送信ユニット1602は、トリガーメッセージに基づいてハンドオーバー用の上り信号を送信し、これにより、１つ又は複数の他の基地局が上り信号への探測に基づいてソース基地局に通知メッセージを送信し、また、ソース基地局が通知メッセージに基づいてユーザ装置に対してハンドオーバーを行う。
【０１５３】
１つの実施方式では、メッセージ受信ユニット1601が受信したトリガーメッセージには上り信号の構成情報が含まれている。もう１つの実施方式では、ユーザ装置が基地局の送信した上り信号の構成情報を受信する。
【０１５４】
図17は本発明の実施例におけるユーザ装置のもう１つの構成を示す図である。図17に示すように、該ユーザ装置1700はメッセージ受信ユニット1601及び信号送信ユニット1602を上述のように含む。
【０１５５】
図17に示すように、ユーザ装置1700は更に情報受信ユニット1703を含み、それはソース基地局が送信した上り信号の構成情報を受信するために用いられる。
【０１５６】
本実施例では、信号送信ユニット1602はトリガーメッセージに基づいて、一回又は複数回、上り信号を送信することができる。
【０１５７】
上述の実施例から分かるように、ユーザ装置が上り信号を送信し、少なくとも１つの基地局が上り信号を探測した後に探測の状況に基づいてソース基地局に通知メッセージを送信することで、ソース基地局が該通知メッセージに基づいてターゲット基地局及びユーザ装置に対してハンドオーバーを行い、これにより、上り信号の測定に基づいてハンドオーバーの判断を加速させ、異なるシナリオ下でのハンドオーバーのニーズを満足することができる。
【実施例７】
【０１５８】
本発明の実施例では上り信号の構成方法が提供され、以下、第一基地局側から該構成方法について詳細に説明し、また、前の実施例と同じ内容はここで省略される。
【０１５９】
図18は、本発明の実施例における構成方法のフローチャートである。図18に示すように、該方法は下記のステップを含む。
【０１６０】
ステップ1801：第一基地局が１つ又は複数の第二基地局とユーザ装置の上り信号の構成情報を協議し；
ステップ1802：第一基地局がユーザ装置に上り信号の構成情報を送信し、これにより、該ユーザ装置が構成情報に基づいて上り信号を送信し、また第二基地局が構成情報に基づいて上り信号を探測する。
【０１６１】
１つの実施方式では、ステップ801で、第一基地局及び第二基地局がユーザ装置の上り信号の構成情報を協議することは、具体的に、第一基地局が第二基地局に第一メッセージを送信し、該第一メッセージは第一基地局の１つ又は複数のユーザ装置の上り信号の構成情報を含み；第一基地局は第二基地局が返した第二メッセージを受信し、該第二メッセージは確認メッセージであり、又は、第二基地局の１つ又は複数のユーザ装置の上り信号の構成情報を含む、ことを含む。
【０１６２】
もう１つの実施方式では、該方法は更に、第一基地局が第二基地局に第三メッセージを送信することを含み、該第三メッセージは、第一基地局の１つ又は複数のユーザ装置の上り信号の構成情報を含む。
【０１６３】
具体的な実施に当たって、オプションで、該方法は更に、第一基地局が第二基地局の送信した第四メッセージを受信することを含み、該第四メッセージは、第三メッセージ中の全て又は一部のユーザ装置の上り信号の構成情報を拒否するために用いられる。
【０１６４】
本実施例では、上り信号の構成情報は、以下の情報の任意の１種類又は組み合わせを含んでも良く、即ち、上り信号の送信パワー；上り信号を送信するキャリア情報又はセル情報；ユーザ装置のハンドオーバーのための目標キャリア情報又はセル情報；ユーザ装置の識別情報；ユーザ装置の適用すべきユーザタイプ情報；上り信号を送信するリソース情報；上り信号の回数又は時間情報；上り信号の特徴情報である。
【０１６５】
具体的な実施に当たって、上り信号の回数又は時間情報は具体的に、上り信号を送信すべき回数、最大送信回数、及び最小送信回数のうち、１種類又は其組み合わせを含み；又は、上り信号の送信を許す時間期間情報、最小時間長さ、及び最大時間長さのうち、一つ又は組み合わせを含んでも良い。
【０１６６】
具体的な実施に当たって、上り信号の特徴情報は具体的に上り信号を生成するシーケンス情報を含んでも良いが、本発明はこれに限定されない。
【０１６７】
例えば、上り信号は、ランダムアクセス用のプリアンブルシーケンス信号であっても良く；該上り信号の特徴情報は、少なくとも、PRACH-Config、RACH-ConfigCommon又はRACH-ConfigDedicated情報実体中の少なくとも１つの情報を含んでも良く；又は、該上り信号はSRSであっても良く；該上り信号の特徴情報は、少なくとも、SoundingRS-
UL-Config情報実体中の少なくとも１つの情報を含んでも良い。又は、上り信号は解調参照信号であっても良く、該上り信号の特徴情報は少なくともDM-RS-Config情報実体中の少なくとも１つの情報を含んでも良い。
【０１６８】
本実施例では、該方法は更に、第一基地局がユーザ装置にトリガーメッセージを送信し、これにより、ユーザ装置がハンドオーバー用の上り信号を送信するようにトリガーし；第一基地局が、１つ又は複数の第二基地局が上り信号への探測に基づいて送信した通知メッセージを受信し；第一基地局が通知メッセージに基づいて１つ又は複数の第二基地局中からターゲット基地局を確定し、そしてユーザ装置に対してハンドオーバーを行うことを含む。
【０１６９】
具体的な実施に当たって、通知メッセージは下記の情報のうち、１種類又は組み合わせを含んでも良く、即ち、上り信号が第二基地局により探測されたユーザ装置の識別子；探測された上り信号の個数；探測された上り信号の信号強度又は信号品質；探測された上り信号の平均信号強度又は平均信号品質；探測された上り信号の重み付け平均信号強度又は重み付け平均信号品質；上り信号が探測され得ると判定する時に用いられる信号強度又は信号品質の閾値である。
【０１７０】
上述の実施例から分かるように、第一基地局が１つ又は複数の第二基地局とユーザ装置の上り信号の構成情報を協議し、また、第一基地局がユーザ装置に上り信号の構成情報を送信することで、異なるシナリオ下でのニーズを満足することができる。
【実施例８】
【０１７１】
本発明の実施例では上り信号の構成方法が提供され、以下、第二基地局側から該構成方法について詳細に説明し、また、前の実施例と同じ内容はここで省略される。
【０１７２】
図19は本発明の実施例における構成方法のフローチャートである。図19に示すように、該方法は下記のステップを含む。
【０１７３】
ステップ1901：第二基地局及び第一基地局がユーザ装置の上り信号の構成情報を協議し；
ステップ1902：第二基地局が構成情報に基づいてユーザ装置が送信した上り信号について探測する。
【０１７４】
１つの実施方式では、ステップ1901で第二基地局及び第一基地局がユーザ装置の上り信号の構成情報を協議することは具体的に、第二基地局が第一基地局の送信した第一メッセージを受信し、該第一メッセージは第一基地局のユーザ装置の上り信号の構成情報を含み；第二基地局が第一基地局に第二メッセージを返し、該第二メッセージは確認メッセージであり、又は、第二基地局のユーザ装置の上り信号の構成情報を含む、ことを含む。
【０１７５】
もう１つの実施方式では、該方法は更に、第二基地局が第一基地局の送信した第三メッセージを受信し、該第三メッセージは第一基地局の１つ又は複数のユーザ装置の上り信号の構成情報を含む。
【０１７６】
オプションで、該方法は更に、第二基地局が第一基地局に第四メッセージを送信し、第四メッセージは、第三メッセージ中の全て又は一部のユーザ装置の上り信号の構成情報を拒否するために用いられる。
【０１７７】
本実施例では、上り信号の構成情報は、以下の情報の任意の１種類又は組み合わせを含み、即ち、上り信号の送信パワー；上り信号を送信するキャリア情報又はセル情報；ユーザ装置がハンドオーバーすべき目標キャリア情報又はセル情報；ユーザ装置の識別情報；ユーザ装置の適用すべきユーザタイプ情報；上り信号を送信するリソース情報；上り信号の回数又は時間情報；上り信号の特徴情報である。
【０１７８】
１つの実施方式では、該方法は更に、上り信号への探測に基づいて第一基地局に通知メッセージを送信し、これにより、第一基地局が通知メッセージに基づいてユーザ装置に対してハンドオーバーを行うことを含む。
【０１７９】
もう１つの実施方式では、該方法は更に、第二基地局が上り信号の所在の周波数、又は該周波数に対応のセル受信機をアクティブにする。
【０１８０】
上述の実施例から分かるように、第一基地局が１つ又は複数の第二基地局とユーザ装置の上り信号の構成情報を協議し、また第一基地局がユーザ装置に上り信号の構成情報を送信し、第二基地局が上り信号に対して探測を行い、これにより、異なるシナリオ下でのニーズを満足することができる。
【実施例９】
【０１８１】
本発明の実施例では上り信号の構成方法が提供され、以下、ユーザ装置側から該構成方法について詳細に説明し、また、前の実施例と同じ内容はここで省略される。
【０１８２】
図20は、本発明の実施例における構成方法のフローチャートである。図20に示すように、該方法は下記のステップを含む。
【０１８３】
ステップ2001：ユーザ装置が第一基地局の送信した上り信号の構成情報を受信し；
ステップ2002：ユーザ装置が構成情報に基づいて上り信号を送信し、これにより、１つ又は複数の第二基地局が上り信号を探測する。
【０１８４】
本実施例では、上り信号の構成情報は、以下の情報の任意の１種類又は組み合わせを含んでも良く、即ち、上り信号の送信パワー；上り信号を送信するキャリア情報又はセル情報；ユーザ装置がハンドオーバーすべき目標キャリア情報又はセル情報；ユーザ装置の識別情報；ユーザ装置の適用すべきユーザタイプ情報；上り信号を送信するリソース情報；上り信号の回数又は時間情報；上り信号の特徴情報である。
【０１８５】
１つの実施方式では、該方法は更に、ユーザ装置が第一基地局の送信したトリガーメッセージを受信し；且つ、ユーザ装置がトリガーメッセージ及び構成情報に基づいて上り信号を送信することを含む。
【０１８６】
上述の実施例から分かるように、ユーザ装置が第一基地局の送信した上り信号の構成情報を受信し、また、ユーザ装置が上り信号を送信し、第二基地局が上り信号を探測し、これにより、異なるシナリオ下のニーズを満足することができる。
【実施例１０】
【０１８７】
本発明の実施例では基地局が提供され、それは、実施例7における構成方法に対応し、同じ内容はここで省略される。
【０１８８】
図21は、本発明の実施例における基地局の構成を示す図である。図21に示すように、該基地局2100は協議ユニット2101及び情報送信ユニット2102を含む。基地局2100の他の部分は従来の技術を参照することができる。
【０１８９】
そのうち、協議ユニット2101は、１つ又は複数の第二基地局とユーザ装置の上り信号の構成情報を協議するために用いられ；情報送信ユニット2102は、ユーザ装置に上り信号の構成情報を送信するために用いられる。
【０１９０】
１つの実施方式では、協議ユニットは具体的に、第一送信ユニット及び第一受信ユニットを含んでも良い。第一送信ユニットは、第二基地局に第一メッセージを送信し、第一メッセージは基地局2100の１つ又は複数のユーザ装置の上り信号の構成情報を含み；第一受信ユニットは、第二基地局が返した第二メッセージを受信し、該第二メッセージは、確認メッセージであり、又は、第二基地局のユーザ装置の上り信号の構成情報を含む。
【０１９１】
もう１つの実施方式では、基地局2100は更に第二送信ユニットを含み、それは、第二基地局に第三メッセージを送信するために用いられ、該第三メッセージは、基地局2100の１つ又は複数のユーザ装置の上り信号の構成情報を含む。
【０１９２】
オプションで、基地局2100は更に第二受信ユニットを含み、それは、第二基地局が送信した第四メッセージを受信し、該第四メッセージは、第三メッセージ中の全て又は一部のユーザ装置の上り信号の構成情報を拒否するために用いられる。
【０１９３】
もう１つの実施方式では、基地局2100は更にメッセージ送信ユニット、通知受信ユニット及びハンドオーバーユニットを含む。そのうち、メッセージ送信ユニットはユーザ装置にトリガーメッセージを送信し、これにより、ユーザ装置がハンドオーバー用の上り信号を送信するようにトリガーし；通知受信ユニットは、１つ又は複数の第二基地局が上り信号への探測に基づいて送信した通知メッセージを受信し；ハンドオーバーユニットは、通知メッセージに基づいて１つ又は複数の第二基地局中からターゲット基地局を確定し、また、ユーザ装置に対してハンドオーバーを行う。
【０１９４】
上述の実施例から分かるように、第一基地局が１つ又は複数の第二基地局とユーザ装置の上り信号の構成情報を協議し、また、第一基地局がユーザ装置に上り信号の構成情報を送信することで、異なるシナリオ下でのニーズを満足することができる。
【実施例１１】
【０１９５】
本発明の実施例では基地局が提供され、それは実施例8における構成方法に対応し、ここでは同じ内容が省略される。
【０１９６】
図22は、本発明の実施例における基地局の構成を示す図である。図22に示すように、該基地局2200は、協議ユニット2201及び探測ユニット2202を含む。基地局2200の他の部分は従来の技術を参照することができる。
【０１９７】
そのうち、協議ユニット2201は、第一基地局とユーザ装置の上り信号の構成情報を協議し；探測ユニット2202は、構成情報に基づいてユーザ装置の送信した上り信号を探測する。
【０１９８】
１つの実施方式では、協議ユニット2201は具体的に第三受信ユニット及び第三送信ユニットを含む。第三受信ユニットは、第一基地局が送信した第一メッセージを受信し、該第一メッセージは、第一基地局の１つ又は複数のユーザ装置の上り信号の構成情報を含み；第三送信ユニットは、第一基地局に第二メッセージを返し、該第二メッセージは、確認メッセージであり、又は、基地局2200の１つ又は複数のユーザ装置の上り信号の構成情報を含む。
【０１９９】
もう１つの実施方式では、基地局2200は更に第四受信ユニットを含み、それは第一基地局が送信した第三メッセージを受信し、該第三メッセージは第一基地局の１つ又は複数のユーザ装置の上り信号の構成情報を含む。
【０２００】
オプションで、基地局2200は更に第四送信ユニットを含み、それは、第一基地局に第四メッセージを送信し、該第四メッセージは、第三メッセージ中の全て又は一部のユーザ装置の上り信号の構成情報を拒否するために用いられる。
【０２０１】
もう１つの実施方式では、基地局2200は更に通知送信ユニットを含み、それは上り信号への探測に基づいて第一基地局に通知メッセージを送信し、これにより、第一基地局は、通知メッセージに基づいてユーザ装置に対してハンドオーバーを行う。
【０２０２】
もう１つの実施方式では、基地局2200は更に、アクティブ化ユニットを含み、それは、上り信号の所在する周波数、又は該周波数に対応するセル受信機をアクティブにすするために用いられる。
【０２０３】
上述の実施例から分かるように、第一基地局が１つ又は複数の第二基地局とユーザ装置の上り信号の構成情報を協議し、また第一基地局がユーザ装置に上り信号の構成情報を送信し、第二基地局が上り信号を探測することで、異なるシナリオ下でのニーズを満足することができる。
【実施例１２】
【０２０４】
本発明の実施例ではユーザ装置が提供され、それは実施例9における構成方法に対応し、ここでは同じ内容が省略される。
【０２０５】
図23は、本発明の実施例におけるユーザ装置の構成を示す図である。図23に示すように、該ユーザ装置2300は、情報受信ユニット2301及び信号送信ユニット2302を含む。ユーザ装置2300の他の部分は、従来の技術を参照することができる。
【０２０６】
そのうち、情報受信ユニット2301は、第一基地局が送信した上り信号の構成情報を受信し；信号送信ユニット2302は、構成メッセージに基づいて上り信号を送信し、これにより、１つ又は複数の第二基地局は上り信号を探測する。
【０２０７】
１つの実施方式では、ユーザ装置2300は更にメッセージ受信ユニットを含み、それは、第一基地局が送信したトリガーメッセージを受信し、また、信号送信ユニット2302は更に、トリガーメッセージ及び構成情報に基づいて上り信号を送信する。
【０２０８】
上述の実施例から分かるように、ユーザ装置が第一基地局の送信した上り信号の構成情報を受信し、また、ユーザ装置が上り信号を送信し、第二基地局が上り信号を探測することで、異なるシナリオ下でのニーズを満足することができる。
【実施例１３】
【０２０９】
本発明の実施例では通信システムが提供され、該通信システム中では、ユーザ装置がソース基地局からターゲット基地局へハンドオーバーする。
【０２１０】
図24は、本発明の実施例における通信システムの構成を示す図である。図24に示すように、該通信システム2400は、第一基地局2401、第二基地局2402及びユーザ装置2403を含む。
【０２１１】
そのうち、第一基地局2401は実施例4に記載のソース基地局であっても良く、第二基地局2402は実施例5に記載のターゲット基地局であっても良く、ユーザ装置1803は実施例6に記載のものであっても良い。
【０２１２】
或いは、第一基地局2401は実施例10に記載のものであっても良く、第二基地局2402は実施例11に記載のものであっても良く、ユーザ装置1803は実施例12に記載のものであっても良い。
【０２１３】
通信システム1800の他の内容については、実施例1ないし12を参照することができる。なお、図24は、該通信システムの構成を例示的に示しているが、本発明はこれに限定されず、実際の状況に基づいて具体的な実施方式を確定しても良い。
【０２１４】
本発明の実施例ではコンピュータ読み取り可能なプログラムが更に提供され、そのうち、基地局中で前記プログラムを実行する時に、前記プログラムは、コンピュータに前記基地局で上述の実施例1又は2に記載の上り信号に基づくハンドオーバー方法、又は、上述の実施例7又は8に記載の上り信号の構成方法を実行させる。
【０２１５】
本発明の実施例ではコンピュータ読み取り可能なプログラムを記憶した記憶媒体が更に提供され、そのうち、前記コンピュータ読み取り可能なプログラムは、コンピュータに、基地局中で上述の実施例1又は2に記載の上り信号に基づくハンドオーバー方法、又は上述の実施例7又は8に記載の上り信号の構成方法を実行させる。
【０２１６】
本発明の実施例では更にコンピュータ読み取り可能なプログラムが提供され、そのうち、ユーザ装置中で前記プログラムを実行する時に、前記プログラムは、コンピュータに前記ユーザ中で上述の実施例3に記載の上り信号に基づくハンドオーバー方法、又は上述の実施例9に記載の上り信号の構成方法を実行させる。
【０２１７】
本発明の実施例ではコンピュータ読み取り可能なプログラムを記憶した記憶媒体が更に提供され、そのうち、前記コンピュータ読み取り可能なプログラムは、コンピュータに、ユーザ装置中で上述の実施例3に記載の上り信号に基づくハンドオーバー方法、又は上述の実施例9に記載の上り信号の構成方法を実行させる。
【０２１８】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０２１９】
図面に記載の機能ブロックの１つ又は複数の、及び/又は機能ブロックの１つ又は複数の組み合わせについては、本願に記載の機能を実現するための汎用処理器、デジタル信号処理器（DSP）、専用集積回路（ASIC）、FPGA（Field  Programmable  Gate  Array）又は他のプログラミング可能なロジック部品、ゲート回路又はトランジスターロジック部品、ハードウェーアアセンブル又はそれらの任意の適切な組み合わせとして実現されても良い。また、図面に記載の機能ブロック中の１つ又は複数の、及び/又は機能ブロックの１つ又は複数の組み合わせについては、更に、計算装置の組み合わせ、例えば、DSP及びマイクロプロセッサの組み合わせ、複数のマイクロプロセッサ、DSPと通信接続される１つ又は複数のマイクロプロセッサ、又は任意の他のこのような構成として実現されても良い。
【０２２０】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2016504885.tif 000003
【図２】
2016504885.tif 000004
【図３】
2016504885.tif 000005
【図４】
2016504885.tif 000006
【図５】
2016504885.tif 000007
【図６】
2016504885.tif 000008
【図７】
2016504885.tif 000009
【図８】
2016504885.tif 000010
【図９】
2016504885.tif 000011
【図１０】
2016504885.tif 000012
【図１１】
2016504885.tif 000013
【図１２】
2016504885.tif 000014
【図１３】
2016504885.tif 000015
【図１４】
2016504885.tif 000016
【図１５】
2016504885.tif 000017
【図１６】
2016504885.tif 000018
【図１７】
2016504885.tif 000019
【図１８】
2016504885.tif 000020
【図１９】
2016504885.tif 000021
【図２０】
2016504885.tif 000022
【図２１】
2016504885.tif 000023
【図２２】
2016504885.tif 000024
【図２３】
2016504885.tif 000025
【図２４】
2016504885.tif 000026
【国際調査報告】
2016504885.tif 000027
2016504885.tif 000028
2016504885.tif 000029
2016504885.tif 000030